(57)【特許請求の範囲】
【請求項１】
メール端末装置と、メールサーバ装置と、ネットワークを介してメール端末装置と接続され、別のネットワークを介してメールサーバ装置と接続されるメールゲートウェイ装置とから構成される電子メール送受信システムであって、
前記メールサーバ装置は、
前記メール端末装置のユーザ宛に送られたメールを受信し、受信したメールに含まれる少なくとも１つ以上の添付ファイルを保持する添付ファイル保持手段と、
前記メールゲートウェイ装置から送信されたメールを受信し、当該メールの送り先に配送するメール配送手段とを備え、
前記メールゲートウェイ装置は、
添付ファイル保持手段により保持されている添付ファイルごとに識別子を生成する識別子生成手段と、
識別子生成手段により生成された識別子の一覧表を生成し、前記メール端末装置に送信する一覧表送信手段と、
前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、
受信手段により受信されたメールに含まれる識別子に対応する添付ファイルを、添付ファイル保持手段から取得する添付ファイル取得手段と、
添付ファイル取得手段により取得された添付ファイルを、受信手段により受信されたメールに添付することによりメールを構築する構築手段と、
構築手段により構築されたメールを、メールサーバ装置に送信するメール送信手段とを備え、
前記メール端末装置は、
前記メールゲートウェイ装置から、前記識別子の一覧表を受信する一覧表受信手段と、
メールに添付されることが所望される添付ファイルの代わりとして、一覧表受信手段により受信された識別子の一覧表からユーザにより選択された識別子を含むメールを作成する作成手段と、
作成手段により作成されたメールを、前記メールゲートウェイ装置に送信する送信手段とを備える
ことを特徴とする電子メール送受信システム。
【請求項２】
メール端末装置と、ネットワークを介してメール端末装置に接続されるメールゲートウェイ装置とから構成される電子メール送受信システムであって、
前記メールゲートウェイ装置は、
前記メール端末装置のユーザ宛に送られたメールを受信し、受信したメールに含まれる少なくとも１つ以上の添付ファイルを保持する添付ファイル保持手段と、
添付ファイル保持手段により保持されている添付ファイルごとに識別子を生成する識別子生成手段と、
識別子生成手段により生成された識別子の一覧表を生成し、前記メール端末装置に送信する一覧表送信手段と、
前記メール端末装置から送信されるメールに添付されることが所望される添付ファイルの代わりとして、前記識別子の一覧表からメール端末装置のユーザにより選択された識別子が含まれるメールを受信する受信手段と、
受信手段により受信されたメールに含まれる識別子に対応する添付ファイルを、添付ファイル保持手段から取得する添付ファイル取得手段と、
添付ファイル取得手段により取得された添付ファイルを、受信手段により受信されたメールに添付することによりメールを構築する構築手段と、
構築手段により構築されたメールを、当該メールの送り先に配送するメール配送手段とを備え、
前記メール端末装置は、
前記メールゲートウェイ装置から、前記識別子の一覧表を受信する一覧表受信手段と、
メールに添付されることが所望される添付ファイルの代わりとして、一覧表受信手段により受信された識別子の一覧表からユーザにより選択された識別子を含むメールを作成する作成手段と、
作成手段により作成されたメールを、前記メールゲートウェイ装置に送信する送信手段とを備える
ことを特徴とする電子メール送受信システム。
【請求項３】
ネットワークを介して、メール端末装置と接続され、別のネットワークを介して、前記メール端末装置のユーザ宛に送られたメールを受信し、受信したメールに含まれる少なくとも１つ以上の添付ファイルを保持するメールサーバ装置と接続されるメールゲートウェイ装置であって、
前記メールサーバ装置により保持されている添付ファイルごとに識別子を生成する識別子生成手段と、
識別子生成手段により生成された識別子の一覧表を生成し、前記メール端末装置に送信する一覧表送信手段と、
前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、
受信手段により受信されたメールに含まれる識別子に対応する添付ファイルを、メールサーバ装置から取得する添付ファイル取得手段と、
添付ファイル取得手段により取得された添付ファイルを、受信手段により受信されたメールに添付することによりメールを構築する構築手段と、
構築手段により構築されたメールを、前記メールサーバ装置に送信するメール送信手段と
を備えることを特徴とするメールゲートウェイ装置。
【請求項４】
前記メールサーバ装置は、添付ファイルを含むメールを受信するたびに、受信したメールに含まれる添付ファイルの一覧表を生成して前記メールゲートウェイ装置に渡す機能を備えており、
前記識別子生成手段は、
前記メールサーバ装置から渡された添付ファイルの一覧表に基づいて、添付ファイルごとに識別子を生成する
ことを特徴とする請求項３記載のメールゲートウェイ装置。
【請求項５】
前記メール端末装置は、メールの送り先ごとに、メールの送り先が採用すべき添付ファイルのファイル形式を、メールゲートウェイ装置に登録する機能を備えており、
前記メールゲートウェイ装置は、さらに、
メール端末装置により登録されたメールの送り先とファイル形式とを記憶するファイル形式記憶手段と、
ファイル形式記憶手段により記憶されているメールの送り先とファイル形式とに基づいて、メールの送り先ごとに、添付ファイルのファイル形式を変換するファイル形式変換手段とを備え、
前記構築手段は、
添付ファイル取得手段により取得された添付ファイルの代わりに、当該添付ファイルをファイル形式変換手段により変換された添付ファイルを添付することによりメールを構築する
ことを特徴とする請求項３記載のメールゲートウェイ装置。
【請求項６】
前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、
前記メールゲートウェイ装置は、さらに、
メール端末装置から他のユーザと共有する旨を受けると、メールサーバ装置により保持されている添付ファイルごとに、他のユーザと共有する添付ファイル共有手段と、
添付ファイル共有手段により共有された添付ファイルごとに、当該添付ファイルの共有者間で利用される共有識別子を生成する共有識別子生成手段とを備え、
前記添付ファイル共有手段は、
メールサーバ装置により保持されている添付ファイルのうち、メール端末装置から共有を許可する添付ファイルとして通知された識別子に対応する添付ファイルを、通知された共有者間で共有し、
前記一覧表送信手段は、さらに、
添付ファイルの共有者に前記共有識別子の一覧表を送信し、
前記添付ファイル取得手段は、さらに、
前記共有識別子に対応する添付ファイルを取得する
ことを特徴とする請求項３記載のメールゲートウェイ装置。
【請求項７】
ネットワークを介して、メール端末装置と接続されているメールゲートウェイ装置であって、
前記メール端末装置のユーザ宛に送られたメールを受信し、受信したメールに含まれる少なくとも１つ以上の添付ファイルとを保持する添付ファイル保持手段と、
添付ファイル保持手段により保持されている添付ファイルごとに識別子を生成する識別子生成手段と、
識別子生成手段により生成された識別子の一覧表を生成し、前記メール端末装置に送信する一覧表送信手段と、
前記メール端末装置から送信されるメールに添付されることが所望される添付ファイルの代わりとして、前記識別子の一覧表からメール端末装置のユーザにより選択された識別子が含まれるメールを受信する受信手段と、
受信手段により受信されたメールに含まれる識別子に対応する添付ファイルを、添付ファイル保持手段から取得する添付ファイル取得手段と、
添付ファイル取得手段により取得された添付ファイルを、受信手段により受信されたメールに添付することによりメールを構築する構築手段と、
構築手段により構築されたメールを、当該メールの送り先に配送するメール配送手段と
を備えることを特徴とするメールゲートウェイ装置。
【請求項８】
前記添付ファイル保持手段は、
添付ファイルを含むメールを受信するたびに、受信したメールに含まれる添付ファイルの一覧表を生成して識別子生成手段に渡し、
前記識別子生成手段は、
添付ファイル保持手段から渡された添付ファイルの一覧表に基づいて、添付ファイルごとに識別子を生成する
ことを特徴とする請求項７記載のメールゲートウェイ装置。
【請求項９】
前記メール端末装置は、メールの送り先ごとに、メールの送り先が採用すべき添付ファイルのファイル形式を、メールゲートウェイ装置に登録する機能を備えており、
前記メールゲートウェイ装置は、さらに、
メール端末装置により登録されたメールの送り先とファイル形式とを記憶するファイル形式記憶手段と、
ファイル形式記憶手段により記憶されているメールの送り先とファイル形式とに基づいて、メールの送り先ごとに、添付ファイルのファイル形式を変換するファイル形式変換手段とを備え、
前記構築手段は、
添付ファイル取得手段により取得された添付ファイルの代わりに、当該添付ファイルからファイル形式変換手段により変換された添付ファイルを添付することによりメールを構築する
ことを特徴とする請求項７記載のメールゲートウェイ装置。
【請求項１０】
前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、
前記メールゲートウェイ装置は、さらに、
メール端末装置から他のユーザと共有する旨を受けると、添付ファイル保持手段により保持されている添付ファイルごとに、他のユーザと共有する添付ファイル共有手段と、
添付ファイル共有手段により共有された添付ファイルごとに、当該添付ファイルの共有者間で利用される共有識別子を生成する共有識別子生成手段とを備え、
前記添付ファイル共有手段は、
メールサーバ装置により保持されている添付ファイルのうち、メール端末装置から共有を許可する添付ファイルとして通知された識別子に対応する添付ファイルを、通知された共有者間で共有し、
前記一覧表送信手段は、さらに、
添付ファイルの共有者に前記共有識別子の一覧表を送信し、
前記添付ファイル取得手段は、さらに、
前記共有識別子に対応する添付ファイルを取得する
ことを特徴とする請求項７記載のメールゲートウェイ装置。
【請求項１１】
ネットワークを介して、メール端末装置のユーザ宛に送られたメールに含まれる添付ファイルごとに識別子を生成し、生成した識別子を管理しているメールゲートウェイ装置と接続されるメール端末装置であって、
前記メールゲートウェイ装置から、前記識別子の一覧表を受信する一覧表受信手段と、
メールに添付されることが所望される添付ファイルの代わりとして、一覧表受信手段により受信された識別子の一覧表からユーザにより選択された識別子を含むメールを作成する作成手段と、
作成手段により作成されたメールを、前記メールゲートウェイ装置に送信する送信手段と
を備えることを特徴とするメール端末装置。
【請求項１２】
前記メールゲートウェイ装置は、メール端末装置から登録されたメールの送り先とファイル形式とを記憶し、記憶しているメールの送り先とファイル形式とに基づいて、メールの送り先ごとに添付ファイルのファイル形式を変換する機能を備えており、
前記メール端末装置は、さらに、
メールの送り先ごとに、メールの送り先が採用すべき添付ファイルのファイル形式を、メールゲートウェイ装置に登録するファイル形式登録手段
を備えることを特徴とする請求項１１記載のメール端末装置。
【請求項１３】
前記メールゲートウェイ装置は、前記メール端末装置から通知された識別子に対応する添付ファイルを、前記メール端末装置から通知された共有者間で共有し、共有した添付ファイルごとに、当該添付ファイルの共有者間で利用される共有識別子を生成する機能を備えており、
前記メール端末は、さらに、
メール端末装置のユーザ宛に送られたメールに含まれた添付ファイルを他のユーザと共有する旨を、前記メールゲートウェイ装置に通知する共有通知手段を備え、
前記共有通知手段は、さらに、
共有を許可する添付ファイルの代わりとして、前記識別子の一覧表からユーザにより選択された識別子をメールゲートウェイ装置に通知する共有ファイル通知部と、
共有を許可する添付ファイルごとに、当該添付ファイルの少なくとも１人以上の共有者をメールゲートウェイ装置に通知する共有ユーザ通知部とを備える
ことを特徴とする請求項１１記載のメール端末装置。
【請求項１４】
メール端末装置と、メールサーバ装置と、ネットワークを介してメール端末装置に接続され、別のネットワークを介してメールサーバ装置に接続されるメールゲートウェイ装置とから構成される電子メール送受信システムを制御する方法であって、
前記メール端末装置のユーザ宛に送られたメールを受信し、受信したメールに含まれる少なくとも１つ以上の添付ファイルをメールサーバ装置に保持する添付ファイル保持ステップと、
前記メールゲートウェイ装置において、添付ファイル保持ステップにより保持されている添付ファイルごとに識別子を生成する識別子生成ステップと、
識別子生成ステップにより生成された識別子の一覧表を生成し、前記メールゲートウェイ装置から前記メール端末装置に送信する一覧表送信ステップと、
前記メール端末装置において、前記識別子の一覧表を、メールゲートウェイ装置から受信する一覧表受信ステップと、
前記メール端末装置において、メールに添付されることが所望される添付ファイルの代わりとして、一覧表受信ステップにより受信された識別子の一覧表からユーザにより選択された識別子を含むメールを作成する作成ステップと、
作成ステップにより作成されたメールを、メール端末装置からメールゲートウェイ装置に送信する送信ステップと、
前記メール端末装置から送信されるメールに添付されることが所望される添付ファイルの代わりとして、前記識別子の一覧表からメール端末装置のユーザにより選択された識別子が含まれるメールを、メールゲートウェイ装置において受信する受信ステップと、
メールゲートウェイ装置において、受信ステップにより受信されたメールに含まれる識別子に対応する添付ファイルを、メールサーバ装置から取得する添付ファイル取得ステップと、
メールゲートウェイ装置において、添付ファイル取得ステップにより取得された添付ファイルを、受信ステップにより受信されたメールに添付することによりメールを構築する構築ステップと、
構築ステップにより構築されたメールを、メールゲートウェイ装置からメールサーバ装置に送信するメール送信ステップと、
前記メールゲートウェイ装置から送信されたメールをメールサーバ装置において受信し、メールサーバ装置から当該メールの送り先に配送するメール配送ステップと
を含むことを特徴とする制御方法。
【請求項１５】
メール端末装置と、ネットワークを介してメール端末装置に接続されるメールゲートウェイ装置とから構成される電子メール送受信システムを制御する方法であって、
前記メール端末装置のユーザ宛に送られたメールを受信し、受信したメールに含まれる少なくとも１つ以上の添付ファイルをメールゲートウェイ装置に保持する添付ファイル保持ステップと、
前記メールゲートウェイ装置において、添付ファイル保持ステップにより保持されている添付ファイルごとに識別子を生成する識別子生成ステップと、
識別子生成ステップにより対応付けられた識別子の一覧表を生成し、前記メールゲートウェイ装置から前記メール端末装置に送信する一覧表送信ステップと、
前記メール端末装置において、前記識別子の一覧表を、前記メールゲートウェイ装置から受信する一覧表受信ステップと、
前記メール端末装置において、メールに添付されることが所望される添付ファイルの代わりとして、一覧表受信ステップにより受信された識別子の一覧表からユーザにより選択された識別子を含むメールを作成する作成ステップと、
作成ステップにより作成されたメールを、前記メール端末装置から前記メールゲートウェイ装置に送信する送信ステップと、
前記メール端末装置から送信されるメールに添付されることが所望される添付ファイルの代わりとして、前記識別子の一覧表からメール端末装置のユーザにより選択された識別子が含まれるメールを、メールゲートウェイ装置において受信する受信ステップと、
前記メールゲートウェイ装置において、受信ステップにより受信されたメールに含まれる識別子に対応する添付ファイルを、添付ファイル保持ステップから取得する添付ファイル取得ステップと、
前記メールゲートウェイ装置において、添付ファイル取得ステップにより取得された添付ファイルを、受信ステップにより受信されたメールに添付することによりメールを構築する構築ステップと、
構築ステップにより構築されたメールを、前記メールゲートウェイ装置から当該メールの送り先に配送するメール配送ステップと
を含むことを特徴とする制御方法。
【請求項１６】
ネットワークを介して、メール端末装置と接続され、別のネットワークを介して、前記メール端末装置のユーザ宛に送られたメールを受信し、受信したメールに含まれる少なくとも１つ以上の添付ファイルとを保持するメールサーバ装置と接続されるメールゲートウェイ装置を制御する方法であって、
前記メールサーバ装置により保持されている添付ファイルごとに識別子を生成する識別子生成ステップと、
識別子生成ステップにより対応付けられた識別子の一覧表を生成し、前記メール端末装置に送信する一覧表送信ステップと、
前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信ステップと、
受信ステップにより受信されたメールに含まれる識別子に対応する添付ファイルを、メールサーバ装置から取得する添付ファイル取得ステップと、
添付ファイル取得ステップにより取得された添付ファイルを、受信ステップにより受信されたメールに添付することによりメールを構築する構築ステップと、
構築ステップにより構築されたメールを、前記メールサーバ装置に送信するメール送信ステップと
を含むことを特徴とする制御方法。
【請求項１７】
ネットワークを介して、メール端末装置と接続されるメールゲートウェイ装置を制御する方法であって、
前記メール端末装置のユーザ宛に送られたメールを受信し、受信したメールに含まれる少なくとも１つ以上の添付ファイルとを保持する添付ファイル保持ステップと、
添付ファイル保持ステップにより保持されている添付ファイルごとに識別子を生成する識別子生成ステップと、
識別子生成ステップにより生成された識別子の一覧表を生成し、前記メール端末装置に送信する一覧表送信ステップと、
前記メール端末装置から送信されるメールに添付されることが所望される添付ファイルの代わりとして、前記識別子の一覧表からメール端末装置のユーザにより選択された識別子が含まれるメールを受信する受信ステップと、
受信ステップにより受信されたメールに含まれる識別子に対応する添付ファイルを、添付ファイル保持ステップから取得する添付ファイル取得ステップと、
添付ファイル取得ステップにより取得された添付ファイルを、受信ステップにより受信されたメールに添付することによりメールを構築する構築ステップと、
構築ステップにより構築されたメールを、当該メールの送り先に配送するメール配送ステップと
を含むことを特徴とする制御方法。
【請求項１８】
ネットワークを介して、メール端末装置のユーザ宛に送られたメールに含まれる添付ファイルごとに識別子を生成し、生成した識別子を管理しているメールゲートウェイ装置と接続されるメール端末装置を制御する方法であって、
前記メールゲートウェイ装置から、前記識別子の一覧表を受信する一覧表受信ステップと、
メールに添付されることが所望される添付ファイルの代わりとして、一覧表受信ステップにより受信された識別子の一覧表からユーザにより選択された識別子を含むメールを作成する作成ステップと、
作成ステップにより作成されたメールを、前記メールゲートウェイ装置に送信する送信ステップと
を含むことを特徴とする制御方法。
【発明の詳細な説明】
【０００１】
【発明の属する技術分野】
本発明は、電子メール送受信システム、特に添付ファイルを含むメールの送受信システムに関する。
【０００２】
【従来の技術】
従来、インターネットの利用形態は、会社や自宅等に設置した端末から利用することを基本とした。近年では、携帯電話やＰＨＳ（Ｐｅｒｓｏｎａｌ  ＨａｎｄｙＰｈｏｎｅ  Ｓｙｓｔｅｍ）をパソコンやＰＤＡ（Ｐｅｒｓｏｎａｌ  Ｄｉｇｉｔａｌ  Ａｓｓｉｓｔａｎｔ）に接続して利用するモバイル・コンピューテイングや、更に、時間と場所を選ばないモバイルと、世界中の情報を網羅するインターネットが融合した、モバイル・インターネット（例えば、携帯電話向けのインターネットサービス）という新たな利用形態が普及している。そして、モバイル・コンピューテイングやモバイル・インターネットが普及するにつれ、いつでもどこでも手軽に電子メールを送受信することができるようになった。しかし、添付ファイルを含む電子メールを携帯電話やＰＨＳへ送信しても、大抵のモバイル・インターネットのサービスでは、添付ファイルは自動的に削除されていた。
【０００３】
その中でも、添付ファイルをサーバーに保存し、別の送信先に転送できるように配慮されたサービスがある。株式会社アステル東京をはじめとするアステルグループにより提供されている「ＭＯＺＩＯ  ｅメール」というサービスでは、メールサーバーは、送られてきたメールに含まれる添付ファイルを保存し、添付ファイルを取り除いたメールに「添付ファイルアリ」というメッセージをつけ、当該サービスのユーザーに添付ファイルの存在を知らせる。そして、当該サービスのユーザーが、ＰＨＳから、パソコンなどのアクセス可能な他のアドレスへ、このメッセージがついたメールを転送すれば、メールサーバーは、保持している添付ファイルを他のアドレスへ転送するメールに添付し、添付ファイルごと転送先へ送信する。そして、転送先のパソコン等では添付ファイルを含む電子メールを受信することが可能となる。
【０００４】
また、同様の技術が、特開平１１−１７５４１９号公報で開示されている。この公報では、メール端末装置から、添付ファイルを含むメールを、他のアドレスへ転送する際に、メール端末からメールサーバーへ同じ添付ファイルを送信することなく、転送先の端末に添付ファイルを含むメールを送信する電子メール送受信システムが開示されている。
【０００５】
前記電子メール送受信システムは、ＭＵＡ（Ｍａｉｌ  Ｕｓｅｒ  Ａｇｅｎｔ）を備えるメール端末装置、メール端末装置とメールサーバー装置との間で電子メールを中継するメールゲートウェイ装置、ＭＴＡ（Ｍａｉｌ  Ｔｒａｎｓｐｏｒｔ  Ａｇｅｎｔ）を備えるメールサーバー装置から構成される。
ここで、ＭＵＡとは、メールを読み書きするユーザーインターフェイスを備えるプログラムを指し、ＭＴＡとは、メールの配送を担うプログラムを指す。
【０００６】
メールゲートウェイ装置は、メール端末装置から、メールサーバー装置により受信したメールの取得要求を受けると、メールサーバー装置から受信したメールを取得し、取得したメールから添付ファイルを分離し、メールＩＤをキーとして分離した添付ファイルを保存し、管理する。そして、メール端末装置から、他のアドレスへ転送するメール（メール本文と転送するメールの元になったメールＩＤとからなるメール）を受け取ると、当該メールの元になったメールのＩＤをキーとして、メールゲートウェイ装置により保持し、管理されている添付ファイルを、受け取ったメールに添付し、メール本文と添付ファイルとからなるメールをメールサーバー装置に送信する。
【０００７】
これにより、メール端末装置は、メールゲートウェイ装置に、転送するメールの元になったメールＩＤを含むメールを送信するだけで、転送先に添付ファイルを含むメールを送信することが可能となる。
【０００８】
【発明が解決しようとする課題】
しかしながら、上記従来の電子メール送受信システムによれば、メールのメールＩＤをキーとしていることにより、メールに複数の添付ファイルが含まれる場合には、メールに含まれる添付ファイルは無条件に全て添付され、複数の添付ファイルから、メールに添付する添付ファイルを選択するということができないという問題がある。つまり、メール端末装置により添付ファイルを添付せずとも、受信したメールに含まれる複数の添付ファイルから、ユーザーにより選択された添付ファイルを含むメールを、当該メールの送信先に送信することができない。
なお、「ＭＯＺＩＯ  ｅメール」というサービスにおいても同様である。
【０００９】
本発明は上記の問題に鑑みて成されたものであり、受信したメールに含まれる添付ファイルを利用（例えば、メールの転送）する際に、受信した複数のメールに含まれる複数の添付ファイルから、メールに添付することを希望する添付ファイルのみを選択し、選択した添付ファイルをメール端末装置により添付せずとも、選択された添付ファイルを含むメールを、当該メールの送り先に送信することが可能な電子メール送受信システム、メールゲートウェイ装置、メール端末装置、電子メール送受信システムを制御する方法、プログラム記録媒体、及びプログラムを提供することを目的とする。
【００１０】
【課題を解決するための手段】
本発明に係わる電子メール送受信システムは、メール端末装置と、メールサーバ装置と、ネットワークを介してメール端末装置に接続され、別のネットワークを介してメールサーバ装置に接続されるメールゲートウェイ装置とから構成される電子メール送受信システムであって、前記メールサーバ装置においては、前記メール端末装置のユーザ宛に送られたメールを受信し、受信したメールに含まれる少なくとも１つ以上の添付ファイルを保持する添付ファイル保持手段と、前記メールゲートウェイ装置から送信されたメールを受信し、当該メールの送り先に配送するメール配送手段とを備える。
【００１１】
さらに、前記メールゲートウェイ装置においては、添付ファイル保持手段により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、受信手段により受信されたメールに含まれる識別子に対応する添付ファイルを、添付ファイル保持手段から取得する添付ファイル取得手段と、添付ファイル取得手段により取得された添付ファイルを、受信手段により受信されたメールに添付することによりメールを構築する構築手段と、構築手段により構築されたメールを、メールサーバ装置に送信するメール送信手段とを備える。
【００１２】
そして、前記メール端末装置においては、前記メールゲートウェイ装置から、前記識別子の一覧表を受信する一覧表受信手段と、メールに添付されることが所望される添付ファイルの代わりとして、一覧表受信手段により受信された識別子の一覧表からユーザにより選択された識別子を含むメールを作成する作成手段と、作成手段により作成されたメールを、前記メールゲートウェイ装置に送信する送信手段とを備える。
【００１３】
さらに、本発明に係わる電子メール送受信システムは、前記添付ファイル保持手段は、添付ファイルを含むメールを受信するたびに、受信したメールに含まれる添付ファイルの一覧表を生成して識別子生成手段に渡し、前記識別子生成手段は、添付ファイル保持手段から渡された添付ファイルの一覧表に基づいて、添付ファイルごとに識別子を生成するとしてもよい。
【００１４】
または、本発明に係わる電子メール送受信システムは、前記メール端末装置においては、さらに、メールの送り先ごとに、メールの送り先が採用すべき添付ファイルのファイル形式を、メールゲートウェイ装置に登録するファイル形式登録手段を備える。
そして、前記メールゲートウェイ装置においては、さらに、ファイル形式登録手段により登録されたメールの送り先とファイル形式とを記憶するファイル形式記憶手段と、ファイル形式記憶手段により記憶されているメールの送り先とファイル形式とに基づいて、メールの送り先ごとに、添付ファイルのファイル形式を変換するファイル形式変換手段とを備え、前記構築手段は、添付ファイル取得手段により取得された添付ファイルの代わりに、当該添付ファイルからファイル形式変換手段により変換された添付ファイルを添付することによりメールを構築するとしてもよい。
【００１５】
または、本発明に係わる電子メール送受信システムは、前記メール端末装置においては、さらに、前記メール端末装置のユーザ宛に送られたメールに含まれた添付ファイルを他のユーザと共有する旨を、前記メールゲートウェイ装置に通知する共有通知手段を備える。
そして、前記メールゲートウェイ装置においては、さらに、メール端末装置から他のユーザと共有する旨を受けると、添付ファイル保持手段により保持されている添付ファイルごとに、他のユーザと共有する添付ファイル共有手段と、添付ファイル共有手段により共有された添付ファイルごとに、当該添付ファイルの共有者間で利用される共有識別子を生成する共有識別子生成手段とを備え、前記共有通知手段は、さらに、共有を許可する添付ファイルの代わりとして、前記識別子の一覧表からユーザにより選択された識別子をメールゲートウェイ装置に通知する共有ファイル通知部と、共有を許可する添付ファイルごとに、当該添付ファイルの少なくとも１人以上の共有者をメールゲートウェイ装置に通知する共有ユーザ通知部とを備え、前記添付ファイル共有手段は、添付ファイル保持手段により保持されている添付ファイルのうち、共有ファイル通知部から通知された識別子に対応する添付ファイルを、共有ユーザ通知部から通知された共有者間で共有し、前記一覧表送信手段は、さらに、添付ファイルの共有者に前記共有識別子の一覧表を送信し、前記添付ファイル取得手段は、さらに、前記共有識別子に対応する添付ファイルを取得し、前記一覧表受信手段は、さらに、前記メール端末装置のユーザが共有している各添付ファイルに対応する共有識別子の一覧表を受信するとしてもよい。
また、本発明は、メール端末装置と、ネットワークを介してメール端末装置に接続されるメールゲートウェイ装置とから構成される電子メール送受信システムであって、前記メールゲートウェイ装置は、前記メール端末装置のユーザ宛に送られたメールを受信し、受信したメールに含まれる少なくとも１つ以上の添付ファイルを保持する添付ファイル保持手段と添付ファイル保持手段により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された識別子が含まれるメールを受信する受信手段と、受信手段により受信されたメールに含まれる識別子に対応する添付ファイルを、添付ファイル保持手段から取得する添付ファイル取得手段と、添付ファイル取得手段により取得された添付ファイルを、受信手段により受信されたメールに添付することによりメールを構築する構築手段と、構築手段により構築されたメールを、当該メールの送り先に配送するメール配送手段とを備え、前記メール端末装置は、前記メールゲートウェイ装置から、前記識別子の一覧表を受信する一覧表受信手段と、メールに添付されることが所望される添付ファイルの代わりとして、一覧表受信手段により受信された識別子の一覧表からユーザにより選択された識別子を含むメールを作成する作成手段と、作成手段により作成されたメールを、前記メールゲートウェイ装置に送信する送信手段とを備えることを特徴とする。
ここで、前記添付ファイル保持手段は、添付ファイルを含むメールを受信するたびに、受信したメールに含まれる添付ファイルの一覧表を生成して識別子生成手段に渡し、前記識別子生成手段は、添付ファイル保持手段から渡された添付ファイルの一覧表に基づいて、添付ファイルごとに識別子を生成するように構成してもよい。
ここで、前記メール端末装置は、さらに、メールの送り先ごとに、メールの送り先が採用すべき添付ファイルのファイル形式を、メールゲートウェイ装置に登録するファイル形式登録手段を備え、前記メールゲートウェイ装置は、さらに、ファイル形式登録手段により登録されたメールの送り先とファイル形式とを記憶するファイル形式記憶手段と、ファイル形式記憶手段により記憶されているメールの送り先とファイル形式とに基づいて、メールの送り先ごとに、添付ファイルのファイル形式を変換するファイル形式変換手段とを備え、前記構築手段は、添付ファイル取得手段により取得された添付ファイルの代わりに、当該添付ファイルからファイル形式変換手段により変換された添付ファイルを添付することによりメールを構築するように構成してもよい。
ここで、前記メール端末装置は、さらに、メール端末装置のユーザ宛に送られたメールに含まれた添付ファイルを他のユーザと共有する旨を、前記メールゲートウェイ装置に通知する共有通知手段を備え、前記メールゲートウェイ装置は、さらに、メール端末装置から他のユーザと共有する旨を受けると、添付ファイル保持手段により保持されている添付ファイルごとに、他のユーザと共有する添付ファイル共有手段と、添付ファイル共有手段により共有された添付ファイルごとに、当該添付ファイルの共有者間で利用される共有識別子を生成する共有識別子生成手段とを備え、前記共有通知手段は、さらに、共有を許可する添付ファイルの代わりとして、前記識別子の一覧表からユーザにより選択された識別子をメールゲートウェイ装置に通知する共有ファイル通知部と、共有を許可する添付ファイルごとに、当該添付ファイルの少なくとも１人以上の共有者をメールゲートウェイ装置に通知する共有ユーザ通知部とを備え、前記添付ファイル共有手段は、添付ファイル保持手段により保持されている添付ファイルのうち、共有ファイル通知部から通知された識別子に対応する添付ファイルを、共有ユーザ通知部から通知された共有者間で共有し、前記一覧表送信手段は、さらに、添付ファイルの共有者に前記共有識別子の一覧表を送信し、前記添付ファイル取得手段は、さらに、前記共有識別子に対応する添付ファイルを取得し、前記一覧表受信手段は、さらに、前記メール端末装置のユーザが共有者として共有している各添付ファイルに対応する共有識別子の一覧表を受信するように構成してもよい。
【００１６】
本発明に係わるメールゲートウェイ装置は、ネットワークを介して、メール端末装置と接続され、別のネットワークを介して、前記メール端末装置のユーザ宛に送られたメールを受信し、受信したメールに含まれる少なくとも１つ以上の添付ファイルを保持するメールサーバ装置と接続されるメールゲートウェイ装置であって、前記メールサーバ装置により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、受信手段により受信されたメールに含まれる識別子に対応する添付ファイルを、メールサーバ装置から取得する添付ファイル取得手段と、添付ファイル取得手段により取得された添付ファイルを、受信手段により受信されたメールに添付することによりメールを構築する構築手段と、構築手段により構築されたメールを、前記メールサーバ装置に送信するメール送信手段を備えるとする。
ここで、前記メールサーバ装置は、添付ファイルを含むメールを受信するたびに、受信したメールに含まれる添付ファイルの一覧表を生成して前記メールゲートウェイ装置に渡す機能を備えており、前記識別子生成手段は、前記メールサーバ装置から渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、メールゲートウェイ装置に登録する機能を備えており、前記メールゲートウェイ装置は、さらに、メール端末装置により登録されたメールの送り先とファイル形式とを記憶するファイル形式記憶手段と、ファイル形式記憶手段により記憶されているメールの送り先とファイル形式とに基づいて、メールの送り先ごとに、添付ファイルのファイル形式を変換するファイル形式変換手段とを備え、前記構築手段は、添付ファイル取得手段により取得された添付ファイルの代わりに、当該添付ファイルをファイル形式変換手段により変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、前記メールゲートウェイ装置は、さらに、メール端末装置から他のユーザと共有する旨を受けると、メールサーバ装置により保持されている添付ファイルごとに、他のユーザと共有する添付ファイル共有手段と、添付ファイル共有手段により共有された添付ファイルごとに、当該添付ファイルの共有者間で利用される共有識別子を生成する共有識別子生成手段とを備え、前記添付ファイル共有手段は、メールサーバ装置により保持されている添付ファイルのうち、メール端末装置から共有を許可する添付ファイルとして通知された識別子に対応する添付ファイルを、通知された共有者間で共有し、前記一覧表送信手段は、さらに、添付ファイルの共有者に前記共有識別子の一覧表を送信し、前記添付ファイル取得手段は、さらに、前記共有識別子に対応する添付ファイルを取得するように構成してもよい。
また、本発明は、ネットワークを介して、メール端末装置と接続されているメールゲートウェイ装置であって、前記メール端末装置のユーザ宛に送られたメールを受信し、受信したメールに含まれる少なくとも１つ以上の添付ファイルとを保持する添付ファイル保持手段と、添付ファイル保持手段により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された識別子が含まれるメールを受信する受信手段と、受信手段により受信されたメールに含まれる識別子に対応する添付ファイルを添付ファイル保持手段から取得する添付ファイル取得手段と、添付ファイル取得手段により取得された添付ファイルを、受信手段により受信されたメールに添付することによりメールを構築する構築手段と、構築手段により構築されたメールを、当該メールの送り先に配送するメール配送手段とを備えることを特徴とする。
ここで、前記添付ファイル保持手段は、添付ファイルを含むメールを受信するたびに、受信したメールに含まれる添付ファイルの一覧表を生成して識別子生成手段に渡し、前記識別子生成手段は、添付ファイル保持手段から渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、メールゲートウェイ装置に登録する機能を備えており、前記メールゲートウェイ装置は、さらに、メール端末装置により登録されたメールの送り先とファイル形式とを記憶するファイル形式記憶手段と、ファイル形式記憶手段により記憶されているメールの送り先とファイル形式とに基づいて、メールの送り先ごとに、添付ファイルのファイル形式を変換するファイル形式変換手段とを備え、前記構築手段は、添付ファイル取得手段により取得された添付ファイルの代わりに、当該添付ファイルからファイル形式変換手段により変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、前記メールゲートウェイ装置は、さらに、メール端末装置から他のユーザと共有する旨を受けると、添付ファイル保持手段により保持されている添付ファイルごとに、他のユーザと共有する添付ファイル共有手段と、添付ファイル共有手段により共有された添付ファイルごとに、当該添付ファイルの共有者間で利用される共有識別子を生成する共有識別子生成手段とを備え、前記添付ファイル共有手段は、メールサーバ装置により保持されている添付ファイルのうち、メール端末装置から共有を許可する添付ファイルとして通知された識別子に対応する添付ファイルを、通知された共有者間で共有し、前記一覧表送信手段は、さらに、添付ファイルの共有者に前記共有識別子の一覧表を送信し、前記添付ファイル取得手段は、さらに、前記共有識別子に対応する添付ファイルを取得するように構成してもよい。
【００１７】
本発明に係わるメール端末装置は、ネットワークを介して、メール端末装置のユーザ宛に送られたメールに含まれる添付ファイルごとに識別子を生成し、生成した識別子を管理しているメールゲートウェイ装置に接続されるメール端末装置であって、前記メールゲートウェイ装置から、前記識別子の一覧表を受信する一覧表受信手段と、メールに添付されることが所望される添付ファイルの代わりとして、一覧表受信手段により受信された識別子の一覧表からユーザにより選択された識別子を含むメールを作成する作成手段と、作成手段により作成されたメールを、前記メールゲートウェイ装置に送信する送信手段とを備えるとする。
ここで、前記メールゲートウェイ装置は、メール端末装置から登録されたメールの送り先とファイル形式とを記憶し、記憶しているメールの送り先とファイル形式とに基づいて、メールの送り先ごとに添付ファイルのファイル形式を変換する機能を備えており、前記メール端末装置は、さらに、メールの送り先ごとに、メールの送り先が採用すべき添付ファイルのファイル形式を、メールゲートウェイ装置に登録するファイル形式登録手段を備えるように構成してもよい。
ここで、前記メールゲートウェイ装置は、前記メール端末装置から通知された識別子に対応する添付ファイルを、前記メール端末装置から通知された共有者間で共有し、共有した添付ファイルごとに、当該添付ファイルの共有者間で利用される共有識別子を生成する機能を備えており、前記メール端末は、さらに、メール端末装置のユーザ宛に送られたメールに含まれた添付ファイルを他のユーザと共有する旨を、前記メールゲートウェイ装置に通知する共有通知手段を備え、前記共有通知手段は、さらに、共有を許可する添付ファイルの代わりとして、前記識別子の一覧表からユーザにより選択された識別子をメールゲートウェイ装置に通知する共有ファイル通知部と、共有を許可する添付ファイルごとに、当該添付ファイルの少なくとも１人以上の共有者をメールゲートウェイ装置に通知する共有ユーザ通知部とを備えるように構成してもよい。
【００１８】
本発明に係わる制御方法は、メール端末装置と、メールサーバ装置と、ネットワークを介して、メール端末装置と接続され、別のネットワークを介して、メールサーバ装置と接続されるメールゲートウェイ装置とから構成される電子メール送受信システムを制御する方法であって、前記メール端末装置のユーザ宛に送られたメールを受信し、受信したメールに含まれる少なくとも１つ以上の添付ファイルをメールサーバ装置に保持する添付ファイル保持ステップと、前記メールゲートウェイ装置において、添付ファイル保持ステップにより保持されている添付ファイルごとに識別子を生成する識別子生成ステップと、識別子生成ステップにより生成された識別子の一覧表を生成し、前記メールゲートウェイ装置から前記メール端末装置に送信する一覧表送信ステップと、前記メール端末装置において、前記識別子の一覧表を、メールゲートウェイ装置から受信する一覧表受信ステップと、前記メール端末装置において、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、メール端末装置からメールゲートウェイ装置に送信する送信ステップと、前記メール端末装置から送信されるメールに添付されることが所望される添付ファイルの代わりとして、前記識別子の一覧表からメール端末装置のユーザにより選択された識別子が含まれるメールを、メールゲートウェイ装置において受信する受信ステップと、メールゲートウェイ装置において、受信ステップにより受信されたメールに含まれる識別子に対応する添付ファイルを、メールサーバ装置から取得する添付ファイル取得ステップと、メールゲートウェイ装置において、添付ファイル取得ステップにより取得された添付ファイルを、受信ステップにより受信されたメールに添付することによりメールを構築する構築ステップと、構築ステップにより構築されたメールを、メールゲートウェイ装置からメールサーバ装置に送信するメール送信ステップと、前記メールゲートウェイ装置から送信されたメールをメールサーバ装置において受信し、メールサーバ装置から当該メールの送り先に配送するメール配送ステップとを含むとする。
ここで、前記添付ファイル保持ステップは、添付ファイルを含むメールを受信するたびに、受信したメールに含まれる添付ファイルの一覧表を生成してメールゲートウェイ装置に渡し、前記識別子生成ステップは、添付ファイル保持ステップから渡された添付ファイルの一覧表に基づいて、添付ファイルごとに識別子を生成するように構成してもよい。
ここで、前記制御方法は、さらに、メールの送り先ごとに、メールの送り先が採用すべき添付ファイルのファイル形式を、前記メール端末装置から前記メールゲートウェイ装置に登録するファイル形式登録ステップと、メールゲートウェイ装置において、ファイル形式登録ステップにより登録されたメールの送り先とファイル形式とを記憶するファイル形式記憶ステップと、メールゲートウェイ装置において、ファイル形式記憶ステップにより記憶されたメールの送り先とファイル形式とに基づいて、メールの送り先ごとに、添付ファイルのファイル形式を変換するファイル形式変換ステップとを含み、前記構築ステップは、添付ファイル取得ステップにより取得された添付ファイルの代わりに、当該添付ファイルをファイル形式変換ステップにより変換された添付ファイルを添付することによりメールを構築するように構成してもよい。
ここで、前記制御方法は、さらに、メール端末装置のユーザ宛に送られたメールに含まれた添付ファイルを他のユーザと共有する旨を、前記メール端末装置から前記メールゲートウェイ装置に通知する共有通知ステップと、前記メールゲートウェイ装置において、メール端末装置から他のユーザと共有する旨を受けると、前記メールサーバ装置に保持されている添付ファイルごとに、他のユーザと共有する添付ファイル共有ステップと、前記メールゲートウェイ装置において、添付ファイル共有ステップにより共有されている添付ファイルごとに、当該添付ファイルの共有者間で利用される共有識別子を生成する共有識別子生成ステップとを含み、前記共有通知ステップは、さらに、共有を許可する添付ファイルの代わりとして、前記識別番号の一覧表からユーザにより選択された識別子を通知する共有ファイル通知サブステップと、共有を許可する添付ファイルごとに、当該添付ファイルの少なくとも１人以上の共有者を前記メールゲートウェイ装置に通知する共有ユーザ通知サブステップとを含み、前記添付ファイル共有ステップは、メールサーバ装置に保持されている添付ファイルのうち、共有ファイル通知サブステップから通知された識別子に対応する添付ファイルを、共有ユーザ通知サブステップから通知された共有者間で共有し、前記一覧表送信ステップは、さらに、添付ファイルの共有者に前記共有識別子の一覧表を送信し、前記添付ファイル取得ステップは、さらに、前記共有識別子に対応する添付ファイルを取得し、前記一覧表受信ステップは、さらに、前記メール端末装置のユーザが共有者として共有している各添付ファイルに対応する共有識別子の一覧表を受信するように構成してもよい。
また、本発明は、メール端末装置と、ネットワークを介してメール端末装置に接続されるメールゲートウェイ装置とから構成される電子メール送受信システムを制御する方法であって、前記メール端末装置のユーザ宛に送られたメールを受信し、受信したメールに含まれる少なくとも１つ以上の添付ファイルをメールゲートウェイ装置に保持する添付ファイル保持ステップと、前記メールゲートウェイ装置において、添付ファイル保持ステップにより保持されている添付ファイルごとに識別子を生成する識別子生成ステップと、識別子生成ステップにより対応付けられた識別子の一覧表を生成し、前記メールゲートウェイ装置から前記メール端末装置に送信する一覧表送信ステップと、前記メール端末装置において、前記識別子の一覧表を、前記メールゲートウェイ装置から受信する一覧表受信ステップと、前記メール端末装置において、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、前記メール端末装置から前記メールゲートウェイ装置に送信する送信ステップと、前記メール端末装置から送信されるメールに添付されることが所望される添付ファイルの代わりとして、前記識別子の一覧表からメール端末装置のユーザにより選択された識別子が含まれるメールを、メールゲートウェイ装置において受信する受信ステップと、前記メールゲートウェイ装置において、受信ステップにより受信されたメールに含まれる識別子に対応する添付ファイルを、添付ファイル保持ステップから取得する添付ファイル取得ステップと、前記メールゲートウェイ装置において、添付ファイル取得ステップにより取得された添付ファイルを、受信ステップにより受信されたメールに添付することによりメールを構築する構築ステップと、構築ステップにより構築されたメールを、前記メールゲートウェイ装置から当該メールの送り先に配送するメール配送ステップとを含むことを特徴とする。
ここで、前記添付ファイル保持ステップは、添付ファイルを含むメールを受信するたびに、受信したメールに含まれる添付ファイルの一覧表を生成して識別子生成ステップに渡し、前記識別子生成ステップは、添付ファイル保持ステップから渡された添付ファイルの一覧表に基づいて、添付ファイルごとに識別子を生成するように構成してもよい。
ここで、前記制御方法は、さらに、メールの送り先ごとに、メールの送り先が採用すべき添付ファイルのファイル形式を、前記メール端末装置から前記メールゲートウェイ装置に登録するファイル形式登録ステップと、前記メールゲートウェイ装置において、ファイル形式登録ステップにより登録されたメールの送り先とファイル形式とを記憶するファイル形式記憶ステップと、前記メールゲートウェイ装置において、ファイル形式記憶ステップにより記憶されているメールの送り先とファイル形式とに基づいて、メールの送り先ごとに、添付ファイルのファイル形式を変換するファイル形式変換ステップとを含み、前記構築ステップは、添付ファイル取得ステップにより取得された添付ファイルの代わりに、当該添付ファイルをファイル形式変換ステップにより変換された添付ファイルを添付することによりメールを構築するように構成してもよい。
ここで、前記制御方法は、さらに、前記メール端末装置のユーザ宛に送られたメールに含まれた添付ファイルを他のユーザと共有する旨を、前記メール端末装置からメールゲートウェイ装置に通知する共有通知ステップと、メールゲートウェイ装置において、メール端末装置から他のユーザと共有する旨を受けると、メールサーバ装置に保持されている添付ファイルごとに、他のユーザと共有する添付ファイル共有ステップと、メールゲートウェイ装置において、添付ファイル共有ステップにより共有された添付ファイルごとに、当該添付ファイルの共有者間で利用される共有識別子を生成する共有識別子生成ステップとを含み、前記共有通知ステップは、さらに、共有を許可する添付ファイルの代わりとして、前記識別番号の一覧表からユーザにより選択された識別子を前記メールゲートウェイ装置に通知する共有ファイル通知サブステップと、共有を許可する添付ファイルごとに、当該添付ファイルの少なくとも１人以上の共有者を前記メールゲートウェイ装置に通知する共有ユーザ通知サブステップとを含み、前記添付ファイル共有ステップは、メールサーバ装置に保持されている添付ファイルのうち、共有ファイル通知サブステップから通知された識別子に対応する添付ファイルを、共有ユーザ通知サブステップから通知された共有者間で共有し、前記一覧表送信ステップは、さらに、添付ファイルの共有者に前記共有識別子の一覧表を送信し、前記添付ファイル取得ステップは、さらに、前記共有識別子に対応する添付ファイルを取得し、前記一覧表受信ステップは、さらに、前記メール端末装置のユーザが共有者として共有している各添付ファイルに対応する共有識別子の一覧表を受信するように構成してもよい。
また、本発明は、ネットワークを介して、メール端末装置と接続され、別のネットワークを介して、前記メール端末装置のユーザ宛に送られたメールを受信し、受信したメールに含まれる少なくとも１つ以上の添付ファイルとを保持するメールサーバ装置と接続されるメールゲートウェイ装置を制御する方法であって、前記メールサーバ装置により保持されている添付ファイルごとに識別子を生成する識別子生成ステップと、識別子生成ステップにより対応付けられた識別子の一覧表を生成し、前記メール端末装置に送信する一覧表送信ステップと、前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信ステップと、受信ステップにより受信されたメールに含まれる識別子に対応する添付ファイルを、メールサーバ装置から取得する添付ファイル取得ステップと、添付ファイル取得ステップにより取得された添付ファイルを、受信ステップにより受信されたメールに添付することによりメールを構築する構築ステップと、構築ステップにより構築されたメールを、前記メールサーバ装置に送信するメール送信ステップとを含むことを特徴とする。
ここで、前記メールサーバ装置は、添付ファイルを含むメールを受信するたびに、受信したメールに含まれる添付ファイルの一覧表を生成して前記メールゲートウェイ装置に渡す機能を備えており、前記識別子生成ステップは、前記メールサーバ装置から渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、前記メールゲートウェイ装置に登録する機能を備えており、前記制御方法は、さらに、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを含み、前記構築ステップは、添付ファイル取得ステップにより取得された添付ファイルの代わりに、当該添付ファイルをファイル形式変換手段により変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、前記制御方法は、さらに、前記メール端末装置から他のユーザと共有する旨を受けると、メールサーバ装置により保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを含み、前記添付ファイル共有ステップは、前記メールサーバ装置により保持されている添付ファイルのうち、前記メール端末装置から共有を許可する添付ファイルとして通知された識別子に対応する添付ファイルを、通知された共有者間で共有し、前記一覧表送信ステップは、さらに、添付ファイルの共有者に前記共有識別子の一覧表を送信し、前記添付ファイル取得ステップは、さらに、共有識別子に対応する添付ファイルを取得するように構成してもよい。
また、本発明は、ネットワークを介して、メール端末装置と接続されるメールゲートウェイ装置を制御する方法であって、前記メール端末装置のユーザ宛に送られたメールを受信し、受信したメールに含まれる少なくとも１つ以上の添付ファイルとを保持する添付ファイル保持ステップと、添付ファイル保持ステップにより保持されている添付ファイルごとに識別子を生成する識別子生成ステップと、識別子生成ステップにより生成された識別子の一覧表を生成し、前記メール端末装置に送信する一覧表送信ステップと、前記メール端末装置から送信されるメールに添付されることが所望される添付ファイルの代わりとして、前記識別子の一覧表からメール端末装置のユーザにより選択された識別子が含まれるメールを受信する受信ステップと、受信ステップにより受信されたメールに含まれる識別子に対応する添付ファイルを、添付ファイル保持ステップから取得する添付ファイル取得ステップと、添付ファイル取得ステップにより取得された添付ファイルを、受信ステップにより受信されたメールに添付することによりメールを構築する構築ステップと、構築ステップにより構築されたメールを、当該メールの送り先に配送するメール配送ステップとを含むことを特徴とする。
ここで、前記添付ファイル保持ステップは、添付ファイルを含むメールを受信するたびに、受信したメールに含まれる添付ファイルの一覧表を生成して識別子生成ステップに渡し、前記識別子生成ステップは、添付ファイル保持ステップから渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、前記メールゲートウェイ装置に登録する機能を備えており、前記制御方法は、さらに、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを含み、前記構築ステップは、添付ファイル取得ステップにより取得された添付ファイルの代わりに、当該添付ファイルをファイル形式変換ステップにより変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、添付ファイルに対応する識別子により前記メールゲートウェイ装置に通知し、当該添付ファイルを共有する少なくとも１人以上の共有者を前記メールゲートウェイ装置に通知する機能を備えており、前記制御方法は、さらに、前記メール端末装置から他のユーザと共有する旨を受けると、添付ファイル保持ステップにより保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを含み、前記添付ファイル共有ステップは、添付ファイル保持ステップにより保持されている添付ファイルのうち、メール端末装置から共有を許可する添付ファイルとして通知された識別子に対応する添付ファイルを、通知された共有者間で共有し、前記一覧表送信ステップは、さらに、添付ファイルの共有者に共有識別子生成ステップにより対応付けられた共有識別子の一覧表を送信し、前記添付ファイル取得ステップは、さらに、共有識別子に対応する添付ファイルを取得するように構成してもよい。
また、本発明は、ネットワークを介して、メール端末装置のユーザ宛に送られたメールに含まれる添付ファイルごとに識別子を生成し、生成した識別子を管理しているメールゲートウェイ装置と接続されるメール端末装置を制御する方法であって、前記メールゲートウェイ装置から、前記識別子の一覧表を受信する一覧表受信ステップと、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、前記メールゲートウェイ装置に送信する送信ステップとを含むことを特徴とする。
ここで、前記メールゲートウェイ装置は、前記メール端末装置から登録されたメールの送り先とファイル形式とを記憶し、記憶しているメールの送り先とファイル形式とに基づいて、メールの送り先ごとに添付ファイルのファイル形式を変換する機能を備えており、前記制御方法は、さらに、メールの送り先ごとに、メールの送り先が採用すべき添付ファイルのファイル形式を、メールゲートウェイ装置に登録するファイル形式登録ステップを含むように構成してもよい。
ここで、前記メールゲートウェイ装置は、前記メール端末装置から通知された識別子に対応する添付ファイルを、前記メール端末装置から通知された共有者間で共有し、共有した添付ファイルごとに、当該添付ファイルの共有者間で利用される共有識別子を生成する機能を備えており、前記制御方法は、さらに、前記メール端末装置のユーザ宛に送られたメールに含まれた添付ファイルを他のユーザと共有する旨を、前記メールゲートウェイ装置に通知する共有通知ステップを含み、前記共有通知ステップは、さらに、共有を許可する添付ファイルの代わりとして、前記識別子の一覧表からユーザにより選択された識別子を前記メールゲートウェイ装置に通知する共有ファイル通知サブステップと、共有を許可する添付ファイルごとに、当該添付ファイルの少なくとも１人以上の共有者を前記メールゲートウェイ装置に通知する共有ユーザ通知サブステップとを含むように構成してもよい。
【００１９】
本発明に係わる記録媒体は、コンピュータに読み取り可能な記録媒体であって、ネットワークを介して、メール端末装置と接続され、別のネットワークを介して、メール端末装置のユーザ宛に送られたメールを受信し、受信したメールに含まれる少なくとも１つ以上の添付ファイルとを保持するメールサーバ装置と接続されるコンピュータに、前記メールサーバ装置により保持されている添付ファイルごとに識別子を生成する識別子生成ステップと、識別子生成ステップにより対応付けられた識別子の一覧表を生成して、前記メール端末装置に送信する一覧表送信ステップと、前記メール端末装置から送信されるメールに添付されることが所望される添付ファイルの代わりとして、識別子の一覧表からメール端末装置のユーザにより選択された少なくとも１つ以上の識別子が含まれるメールを受信する受信ステップと、受信ステップにより受信されたメールに含まれる識別子に対応する添付ファイルを、前記メールサーバ装置から取得する添付ファイル取得ステップと、添付ファイル取得ステップにより取得された添付ファイルを、受信ステップにより受信されたメールに添付することによりメールを構築する構築ステップと、構築ステップにより構築されたメールを、前記メールサーバ装置に送信するメール送信ステップとを実行させるプログラムを記録するとする。
ここで、前記メールサーバ装置は、添付ファイルを含むメールを受信するたびに、受信したメールに含まれる添付ファイルの一覧表を生成して前記メールゲートウェイ装置に渡す機能を備えており、前記識別子生成ステップは、前記メールサーバ装置から渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、メールゲートウェイ装置に登録する機能を備えており、前記記録媒体は、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを前記コンピュータに実行させるプログラムを記録し、前記構築ステップは、添付ファイル取得ステップにより取得された添付ファイルの代わりに、当該添付ファイルをファイル形式変換ステップにより変換された添付ファイルを添付することによりメールを構築するように構成してもよい。
ここで、前記メール端末装置は、前記メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、  前記記録媒体は、さらに、前記メール端末装置から他のユーザと共有する旨を受けると、前記メールサーバ装置により保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを前記コンピュータに実行させるプログラムを記録し、前記添付ファイル共有ステップは、前記メールサーバ装置により保持されている添付ファイルのうち、前記メール端末装置から共有を許可する添付ファイルとして通知された識別子に対応する添付ファイルを、通知された共有者間で共有し、前記一覧表送信ステップは、さらに、添付ファイルの共有者に前記共有識別子の一覧表を送信し、前記添付ファイル取得ステップは、さらに、共有識別子に対応する添付ファイルを取得するように構成してもよい。
また、本発明は、ネットワークを介して、メール端末装置と接続されるコンピュータに実行させるプログラムを記録しているコンピュータ読み取り可能な記録媒体であって、前記メール端末装置のユーザ宛に送られたメールを受信し、受信したメールに含まれる少なくとも１つ以上の添付ファイルとを保持する添付ファイル保持ステップと、添付ファイル保持ステップにより保持されている添付ファイルごとに識別子を生成する識別子生成ステップと、識別子生成ステップにより生成された識別子の一覧表を生成し、前記メール端末装置に送信する一覧表送信ステップと、前記メール端末装置から送信されるメールに添付されることが所望される添付ファイルの代わりとして、識別子の一覧表からメール端末装置のユーザにより選択された識別子が含まれるメールを受信する受信ステップと、受信ステップにより受信されたメールに含まれる識別子に対応する添付ファイルを、添付ファイル保持ステップから取得する添付ファイル取得ステップと、添付ファイル取得ステップにより取得された添付ファイルを、受信ステップにより受信されたメールに添付することによりメールを構築する構築ステップと、構築ステップにより構築されたメールを、当該メールの送り先に配送するメール配送ステップとを前記コンピュータに実行させるプログラムを記録していることを特徴とする。
ここで、前記添付ファイル保持ステップは、添付ファイルを含むメールを受信するたびに、受信したメールに含まれる添付ファイルの一覧表を生成して識別子生成ステップに渡し、前記識別子生成ステップは、添付ファイル保持ステップから渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、前記メールゲートウェイ装置に登録する機能を備えており、前記記録媒体は、さらに、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを前記コンピュータに実行させるプログラムを記録し、前記構築ステップは、添付ファイル取得ステップにより取得された添付ファイルの代わりに、当該添付ファイルからファイル形式変換ステップにより変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、前記記録媒体は、さらに、前記メール端末装置から他のユーザと共有する旨を受けると、添付ファイル保持ステップにより保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを前記コンピュータに実行させるプログラムを記録し、前記添付ファイル共有ステップは、添付ファイル保持ステップにより保持されている添付ファイルのうち、前記メール端末装置から共有を許可する添付ファイルとして通知された識別子に対応する添付ファイルを、通知された共有者間で共有し、前記一覧表送信ステップは、さらに、添付ファイルの共有者に共有識別子生成ステップにより対応付けられた共有識別子の一覧表を送信し、前記添付ファイル取得ステップは、さらに、共有識別子に対応する添付ファイルを取得するように構成してもよい。
【００２０】
本発明に係わる記録媒体は、コンピュータ読み取り可能な記録媒体であって、ネットワークを介して、メール端末装置のユーザ宛に送られたメールに含まれる添付ファイルごとに識別子を生成し、生成した識別子を管理しているメールゲートウェイ装置と接続されるコンピュータに、前記メールゲートウェイ装置から、前記識別子の一覧表を受信する一覧表受信ステップと、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、前記メールゲートウェイ装置に送信する送信ステップとを実行させるプログラムを記録するとする。
ここで、前記メールゲートウェイ装置は、前記メール端末装置から登録されたメールの送り先とファイル形式とを記憶し、記憶しているメールの送り先とファイル形式とに基づいて、メールの送り先ごとに添付ファイルのファイル形式を変換する機能を備えており、前記記録媒体は、さらに、メールの送り先ごとに、メールの送り先が採用すべき添付ファイルのファイル形式を、前記メールゲートウェイ装置に登録するファイル形式登録ステップを前記コンピュータに実行させるプログラムを記録しているように構成しもよい。
ここで、前記メールゲートウェイ装置は、前記メール端末装置から通知された識別子に対応する添付ファイルを、前記メール端末装置から通知された共有者間で共有し、共有した添付ファイルごとに、当該添付ファイルの共有者間で利用される共有識別子を生成する機能を備えており、前記記録媒体は、さらに、前記メール端末装置のユーザ宛に送られたメールに含まれた添付ファイルを他のユーザと共有する旨を、前記メールゲートウェイ装置に通知する共有通知ステップを前記コンピュータに実行させるプログラムを記録し、前記共有通知ステップは、さらに、共有を許可する添付ファイルの代わりとして、前記識別子の一覧表からユーザにより選択された識別子を前記メールゲートウェイ装置に通知する共有ファイル通知サブステップと、共有を許可する添付ファイルごとに、当該添付ファイルの少なくとも１人以上の共有者を前記メールゲートウェイ装置に通知する共有ユーザ通知サブステップとを前記コンピュータに実行させるように構成してもよい。
【００２１】
本発明に係わるプログラムは、ネットワークを介して、メール端末装置と接続され、別のネットワークを介して、メール端末装置のユーザ宛に送られたメールを受信し、受信したメールに含まれる少なくとも１つ以上の添付ファイルとを保持するメールサーバ装置と接続されるコンピュータに実行されるプログラムであって、前記コンピュータに、前記メールサーバ装置により保持されている添付ファイルごとに識別子を生成する識別子生成ステップと、識別子生成ステップにより対応付けられた識別子の一覧表を生成し、前記メール端末装置に送信する一覧表送信ステップと、前記メール端末装置から送信されるメールに添付されることが所望される添付ファイルの代わりとして、識別子の一覧表からメール端末装置のユーザにより選択された少なくとも１つ以上の識別子が含まれるメールを受信する受信ステップと、受信ステップにより受信されたメールに含まれる識別子に対応する添付ファイルを、前記メールサーバ装置から取得する添付ファイル取得ステップと、添付ファイル取得ステップにより取得された添付ファイルを、受信ステップにより受信されたメールに添付することによりメールを構築する構築ステップと、構築ステップにより構築されたメールを、前記メールサーバ装置に送信するメール送信ステップとを実行させるとする。
ここで、前記メールサーバ装置は、添付ファイルを含むメールを受信するたびに、受信したメールに含まれる添付ファイルの一覧表を前記メールゲートウェイ装置に渡す機能を備えており、前記識別子生成ステップは、前記メールサーバ装置から渡された添付ファイルの一覧表から、添付ファイルごとに識別子を生成するように構成してもよい。
ここで、前記メール端末装置は、メールの送り先ごとに、メールの送り先が採用すべき添付ファイルのファイル形式を、メールゲートウェイ装置に登録する機能を備えており、前記プログラムは、さらに、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを前記コンピュータに実行させ、前記構築ステップは、添付ファイル取得ステップにより取得された添付ファイルの代わりに、当該添付ファイルをファイル形式変換ステップにより変換された添付ファイルを添付することによりメールを構築するように構成してもよい。
ここで、前記メール端末装置は、メール端末装置のユーザ宛に送られたメールに含まれた添付ファイルのうち、共有を許可する添付ファイルを、当該添付ファイルに対応する識別子により前記メールゲートウェイ装置に通知し、当該添付ファイルを共有する少なくとも１人以上の共有者を前記メールゲートウェイ装置に通知する機能を備えており、前記プログラムは、さらに、前記メール端末装置から他のユーザと共有する旨を受けると、メールサーバ装置により保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを前記コンピュータに実行させ、前記添付ファイル共有ステップは、前記メールサーバ装置により保持されている添付ファイルのうち、前記メール端末装置から共有を許可する添付ファイルとして通知された識別子に対応する添付ファイルを、通知された共有者間で共有し、前記一覧表送信ステップは、添付ファイルの共有者に共有識別子生成ステップにより対応付けられた共有識別子の一覧表も送信し、前記添付ファイル取得ステップは、共有識別子に対応する添付ファイルを取得するよう構成してもよい。
また、本発明は、ネットワークを介して、メール端末装置と接続されるコンピュータに実行されるプログラムであって、前記メール端末装置のユーザ宛に送られたメールを受信し、受信したメールに含まれる少なくとも１つ以上の添付ファイルとを保持する添付ファイル保持ステップと、添付ファイル保持ステップにより保持されている添付ファイルごとに識別子を生成する識別子生成ステップと、識別子生成ステップにより生成された識別子の一覧表をメール端末装置に送信する一覧表送信ステップと、前記メール端末装置から送信されるメールに添付されることが所望される添付ファイルの代わりとして、識別子の一覧表からメール端末装置のユーザにより選択された識別子が含まれるメールを受信する受信ステップと、受信ステップにより受信されたメールに含まれる識別子に対応する添付ファイルを、添付ファイル保持ステップから取得する添付ファイル取得ステップと、添付ファイル取得ステップにより取得された添付ファイルを、受信ステップにより受信されたメールに添付することによりメールを構築する構築ステップと、構築ステップにより構築されたメールを、当該メールの送り先に配送するメール配送ステップとを前記コンピュータに実行させることを特徴とする。
ここで、前記添付ファイル保持ステップは、添付ファイルを含むメールを受信するたびに、受信したメールに含まれる添付ファイルの一覧表を生成して識別子生成ステップに渡し、前記識別子生成ステップは、添付ファイル保持ステップから渡された添付ファイルの一覧表に基づいて、添付ファイルごとに識別子を生成するように構成してもよい。
ここで、前記メール端末装置は、メールの送り先ごとに、メールの送り先が採用すべき添付ファイルのファイル形式を、前記メールゲートウェイ装置に登録する機能を備えており、前記プログラムは、さらに、前記メール端末装置により登録されたメールの送り先とファイル形式とを記憶するファイル形式記憶ステップと、ファイル形式記憶ステップにより記憶されているメールの送り先とファイル形式とに基づいて、メールの送り先ごとに、添付ファイルのファイル形式を変換するファイル形式変換ステップとを前記コンピュータに実行させ、前記構築ステップは、添付ファイル取得ステップにより取得された添付ファイルの代わりに、当該添付ファイルからファイル形式変換ステップにより変換された添付ファイルを添付することによりメールを構築するように構成してもよい。
ここで、前記メール端末装置は、メール端末装置のユーザ宛に送られたメールに含まれた添付ファイルのうち、他のユーザと共有する添付ファイルと、当該添付ファイルを共有する少なくとも１人以上の共有者とを前記メールゲートウェイ装置に通知する機能を備えており、前記プログラムは、さらに、前記メール端末装置から他のユーザと共有する旨を受けると、添付ファイル保持ステップにより保持されている添付ファイルごとに、他のユーザと共有する添付ファイル共有ステップと、添付ファイル共有ステップにより共有された添付ファイルごとに、当該添付ファイルの共有者間で利用される共有識別子を生成する共有識別子生成ステップとを前記コンピュータに実行させ、前記添付ファイル共有ステップは、添付ファイル保持ステップにより保持されている添付ファイルのうち、前記メール端末装置から共有すると通知された添付ファイルを、通知された共有者間で共有し、前記一覧表送信ステップは、さらに、添付ファイルの共有者に前記共有識別子の一覧表を送信し、前記添付ファイル取得ステップは、さらに、前記共有識別子に対応する添付ファイルを取得するように構成してもよい。
【００２２】
本発明に係わるプログラムは、ネットワークを介して、ユーザ宛に送られたメールに含まれる添付ファイルごとに識別子を生成し、生成した識別子を管理しているメールゲートウェイ装置と接続されるコンピュータに実行されるプログラムであって、前記コンピュータに、前記メールゲートウェイ装置から、前記識別子の一覧表を受信する一覧表受信ステップと、添付ファイルの代わりに、一覧表受信ステップにより受信された識別子の一覧表からユーザにより選択された識別子を含むメールを作成する作成ステップと、作成ステップにより作成されたメールを、前記メールゲートウェイ装置に送信する送信ステップとを実行させるとする。
ここで、前記メールゲートウェイ装置は、前記メール端末装置から登録されたメールの送り先とファイル形式とを記憶し、記憶しているメールの送り先とファイル形式とに基づいて、メールの送り先ごとに添付ファイルのファイル形式を変換する機能を備えており、前記プログラムは、さらに、メールの送り先ごとに、メールの送り先が採用すべき添付ファイルのファイル形式を、前記メールゲートウェイ装置に登録するファイル形式登録ステップを前記コンピュータに実行させるように構成してもよい。
ここで、前記メールゲートウェイ装置は、メール端末から通知された識別子に対応する添付ファイルを、メール端末から通知された共有者間で共有し、共有した添付ファイルごとに、当該添付ファイルの共有者間で利用される共有識別子を生成する機能を備えており、前記プログラムは、さらに、前記メール端末装置のユーザ宛に送られたメールに含まれた添付ファイルを他のユーザと共有する旨を前記メールゲートウェイ装置に通知する共有通知ステップを前記コンピュータに実行させ、前記共有通知ステップは、さらに、共有を許可する添付ファイルの代わりとして、前記識別子の一覧表からユーザにより選択された識別子を前記メールゲートウェイ装置に通知する共有ファイル通知サブステップと、共有を許可する添付ファイルごとに、当該添付ファイルの少なくとも１人以上の共有者を前記メールゲートウェイ装置に通知する共有ユーザ通知サブステップとを前記コンピュータに実行させるように構成してもよい。
【００２３】
【発明の実施の形態】
以下、本発明の実施の形態を、図面を参照しながら説明する。
（実施の形態１）
図１は、メール端末装置１００、メールゲートウェイ装置１１０、メールサーバー装置１２０から構成される電子メール送受信システムのブロック図を示している。
【００２４】
（メール端末装置１００の構成）
同図にみられるように、メール端末装置１００は、ＩＤ取得部１０１、メール作成部１０２、メール送信部１０３から構成される。
ＩＤ取得部１０１は、メールゲートウェイ装置１１０にＩＤ取得要求を出し、メールゲートウェイ装置１１０から添付ＩＤの一覧表を取得する。取得した添付ＩＤの一覧表は、メール作成部１０２に渡す。
【００２５】
ここで、添付ＩＤとは、メールサーバー装置１２０により受信し、ユーザー毎に保持されているメール（以下、受信メールと略す）に含まれる個々の添付ファイル毎に生成され、対応付けられた識別子を指す。
メール作成部１０２は、送信するメール（以下、送信メールとし区別する）を作成し、メール送信部１０３に渡す。なお、本実施の形態においては、受信メールに含まれる添付ファイルを転送する際に、添付ファイルの代わりに、ＩＤ取得部１０１から渡された添付ＩＤの一覧表に基づいて、転送する添付ファイルを添付ＩＤにより指定する。
【００２６】
メール送信部１０３は、メール作成部１０２により作成された送信メールを受け取り、メールゲートウェイ装置１１０に送信する。
なお、本実施の形態におけるメール端末装置１００は、ＭＵＡ（Ｍａｉｌ  Ｕｓｅｒ  Ａｇｅｎｔ）を備える携帯情報端末とする。ここで、ＭＵＡとは、メールを読み書きするユーザーインタフェースを備えるプログラムを指す。
【００２７】
（メールゲートウェイ装置１１０の構成）
メールゲートウェイ装置１１０は、ＩＤ記憶部１１１、メール取得部１１２、メール構築部１１３、メール受信部１１４、メール送信部１１５から構成される。
ＩＤ記憶部１１１は、メール取得部１１２により対応付けられた添付ＩＤを、ユーザー毎に記憶する。
【００２８】
メール取得部１１２は、メール端末装置１００からのＩＤ取得要求に応じて、メールサーバー装置１２０に添付ファイル一覧表取得要求を出し、メールサーバー装置１２０から添付ファイルの一覧表を取得する。取得した添付ファイルの一覧表から、個々の添付ファイルに添付ＩＤを対応付ける。そして、対応付けられた添付ＩＤを、ＩＤ記憶部１１１に記憶し、メール端末装置１００に送信する。
また、メール構築部１１３からの添付ファイル取得要求に応じて、ＩＤ記憶部１１１により記憶されている添付ＩＤと添付ファイルとの対応に基づいて、メールサーバー装置１２０に添付ＩＤに対応する添付ファイルの取得要求を出し、メールサーバー装置１２０から添付ＩＤに対応する添付ファイルを取得し、取得した添付ファイルを、メール構築部１１３に渡す。
【００２９】
メール構築部１１３は、メール受信部１１４から渡された送信メールを受け取り、解析する。解析の結果、受け取った送信メールに添付ＩＤが含まれない場合は、受け取った送信メールをそのままメール送信部１１５に渡す。受け取った送信メールに添付ＩＤが含まれる場合は、添付ＩＤを抽出し、抽出した添付ＩＤに対応する添付ファイルの取得要求をメール取得部１１２に出し、メール取得部１１２から添付ＩＤに対応する添付ファイルを受け取る。そして、受け取った添付ファイルを、添付ＩＤの代わりに、メール受信部１１４から渡された送信メールに添付し、送信メールを構築し、構築した送信メール（以下、構築メールとし区別する）を、メール送信部１１５に渡す。
【００３０】
メール受信部１１４は、メール端末装置１００から送信された送信メールを受信し、メール構築部１１３に渡す。
メール送信部１１５は、メール構築部１１３から渡された送信メール又は構築メールを受け取り、メールサーバー装置１２０に送信する。
（メールサーバー装置１２０の構成）
メールサーバー装置１２０は、メール管理部１２１、メールスプール１２２、メール配送部１２３から構成される。
【００３１】
メール管理部１２１は、受信メールを管理し、メールゲートウェイ装置１１０から、受信メール又は添付ファイルの取得要求を受けると、メールスプール１２２から、受信メール又は添付ファイルを取得し、メールゲートウェイ装置１１０に送信する。また、メールゲートウェイ装置１１０から、受信メールの一覧表又は添付ファイルの一覧表の取得要求を受けると、メールスプール１２２から、受信メールの一覧表又は添付ファイルの一覧表を取得し、メールゲートウェイ装置１１０に送信する。
【００３２】
メールスプール１２２は、受信メールをユーザー毎に保持する。
メール配送部１２３は、インターネット１３０を経由して送られたメール（受信メール）又はメールゲートウェイ装置１１０から送られたメール（送信メール又は構築メール）を受信し、メールサーバー装置１２０により管理されているユーザー（以下、ローカルユーザーとする）宛のメールは、メールスプール１２２に保持し、メールサーバー装置１２０により管理されていないユーザー（以下、リモートユーザーとする）宛のメールは、当該メールの送り先に配送する。
【００３３】
なお、本実施の形態におけるメールサーバー１２０は、ＭＴＡ（Ｍａｉｌ  Ｔｒａｎｓｐｏｒｔ  Ａｇｅｎｔ）を備えるコンピュータとする。ここで、ＭＴＡとは、メールの配送を担うプログラムを指す。
（添付ファイルを含む受信メール２００の構造）
図２は、メールサーバー装置１２０により受信された添付ファイルを含む受信メールのデータ構造図を示している。
【００３４】
なお、本実施の形態における受信メール２００は、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ）形式とする。
同図にみられるように、添付ファイルを含む受信メール２００は、メールヘッダ２０１、メッセージ２０２、添付ファイル２０３乃至２０６から構成される。
【００３５】
メールヘッダ２０１は、メールを制御する情報が記載された部分であり、メールの送り主、送り先、主題、受信日、送信日、メッセージＩＤ等が記載されている。
なお、メッセージＩＤとは、メールサーバー装置１２０が受信したメール毎に生成する文字列を指し、例えば、ＲＦＣ（Ｒｅｑｕｅｓｔ  Ｆｏｒ  Ｃｏｍｍｅｎｔ）８２２形式のメールでは、「Ｍｅｓｓａｇｅ−ＩＤ」フィールドに記載の文字列を指す。
【００３６】
メッセージ２０２は、ＭＩＭＥヘッダ２２１とＭＩＭＥメッセージ２２２とから構成される。なお、メールヘッダ２０１とメッセージ２０２とは空行により区切られている。
添付ファイル２０３乃至２０６は、メールに添付されたファイルであり、ドキュメント、画像、音声等である。個々の添付ファイルは、ＭＩＭＥヘッダとＭＩＭＥメッセージから構成される。
【００３７】
ここで、ＭＩＭＥヘッダとは、コンテンツ名、コンテンツ形式（例えば、ドキュメント、画像、音声、又はそのファイル形式等）、エンコード形式（ｂａｓｅ６４等）から構成される情報を指す。ＭＩＭＥメッセージとは、テキストデータの添付ファイル（例えば、テキスト等）では、そのテキストデータを指し、バイナリ−データの添付ファイル（例えば、画像、音声等）では、ｂａｓｅ６４等で変換したテキストデータを指す。なお、ＭＩＭＥヘッダとＭＩＭＥメッセージとは空行により区切られており、個々の添付ファイルは、メールヘッダ２０１に記載された境界指定文字列により区切られる。
【００３８】
（動作）
以上のように構成された電子メール送受信システムについて、受信メール２００の転送を例にして、その動作を説明する。以下、受信メール２００を転送する際に、作成されるメールを転送メールとして区別する。
図３は、メール端末装置１００における、受信メール２００を転送する処理のフローチャート図を示している。
【００３９】
同図にみられるように、受信メール２００を転送する際に、まず、メール端末装置１００は、ＩＤ取得部１０１により、メールゲートウェイ装置１１０から、受信メール２００に含まれる個々の添付ファイルに対応付けられた添付ＩＤの一覧表を取得する（ステップＳ３０１）。
図４に、受信メール２００に含まれる個々の添付ファイルに対応付けられた添付ＩＤを取得するシーケンス図を示す。
【００４０】
同図にみられるように、メール端末装置１００は、メールゲートウェイ装置１１０に、ＩＤ取得要求を出す（Ｓ４０１）。ＩＤ取得要求を受けたメールゲートウェイ装置１１０は、メールサーバー装置１２０に、添付ファイル一覧表取得要求を出す（Ｓ４０２）。添付ファイル一覧表取得要求を受けたメールサーバー装置１２０は、メールスプール１２２から、受信メールに含まれる添付ファイルの一覧表を取得し、メールゲートウェイ装置１１０に、添付ファイルの一覧表を送信する（Ｓ４０３）。添付ファイルの一覧表を受信したメールゲートウェイ装置１１０は、受信した添付ファイルの一覧表から、個々の添付ファイルに添付ＩＤを対応付け、メール端末装置１００に、添付ＩＤの一覧表を送信する（Ｓ４０４）。
【００４１】
図５（ａ）に、Ｓ４０３により送信される添付ファイルの一覧表（受信メール２００から作成された添付ファイルの一覧表５００）のデータ構造図を、図５（ｂ）に、Ｓ４０４で送信されるＩＤの一覧表（添付ファイルの一覧表５００から作成されたＩＤの一覧表５０１）のデータ構造図を示す。
同図にみられるように、添付ファイルの一覧表５００は、受信メール２００のメールヘッダ２０１とＭＩＭＥヘッダ２２１乃至２６１とから構成される。
【００４２】
ＩＤの一覧表５０１は、メッセージ２０２の添付ＩＤと添付ファイル２０３乃至２０６の添付ＩＤとから構成される。ここで、添付ＩＤは、添付ファイル５００に含まれるメールヘッダ２０１に記載のメッセージＩＤと、添付ファイルの一覧表５００の先頭から数えて、ＭＩＭＥヘッダ２２１乃至２６１の並んでいる順番（添付ファイルの添付順）とから作成される。
【００４３】
図６に、受信メール２００のメッセージＩＤを「０１２３４５６７８９」とした場合における、添付ファイルと添付ＩＤとの対応表を示す。
同図によると、受信メール２００の１番目に添付された添付ファイル２０３に対応付けられる添付ＩＤは、「０１２３４５６７８９：００１」であり、２番目に添付された添付ファイル２０４に対応付けられる添付ＩＤは、「０１２３４５６７８９：００２」である。以下、添付ファイルに対応付けられる添付ＩＤの形式は、「メッセージＩＤ：添付ファイルの添付順」とし、また、メッセージ２０２には、「０１２３４５６７８９：０００」が対応付けられる。
【００４４】
対応付けられた添付ＩＤは、ＩＤ記憶部１１１により記憶され、当該添付ＩＤがメールゲートウェイ装置１１０のメール取得部１１２からメール端末装置１００に渡される。そして、メール端末装置１００は、メールゲートウェイ装置１１０から送信された添付ＩＤの一覧表を、ＩＤ取得部１０１により取得する。
なお、本実施の形態におけるメール端末装置１００は、取得した添付ＩＤを閲覧し、添付することを希望する添付ファイルに対応付けられた添付ＩＤを選択することが可能なＭＵＡを備えるとする。
【００４５】
次に、図３に戻り、同図にみられるように、メール端末装置１００は、受信メール２００に含まれる添付ファイルの代わりに、ＩＤ取得部１０１により取得した添付ＩＤを含む転送メールを、メール作成部１０２により作成する（ステップＳ３０２）。
図７に、受信メール２００から作成される転送メールに、ＩＤ取得部１０１により取得した添付ＩＤを記載する処理のフローチャート図を示す。
【００４６】
同図にみられるように、まず、メールゲートウェイ装置１１０から取得した添付ＩＤの一覧表を表示する（ステップＳ７０１）。次に、メール端末装置１００のユーザーにより選択された添付ＩＤを受付ける（ステップＳ７０２）。そして、受付けた添付ＩＤを、転送メールのメールヘッダに記載する（ステップＳ７０３）。
【００４７】
図８に、受信メール２００から、メール作成部１０２により作成される転送メールの作成状態図を示す。
同図にみられるように、メール端末装置１００は、端末８００とペン８０１とから構成される。
端末８００の表示部には、受信メール２００から作成される転送メール８０２と、受信メール２００に含まれる個々の添付ファイルに対応付けられた添付ＩＤのリスト８０３とが表示されている。リスト８０３は、ＩＤ取得部１０１により取得された添付ＩＤの一覧表である。メール端末装置１００のユーザーにより、リスト８０３から、転送メール８０２に添付することを希望する添付ファイルに対応付けられた添付ＩＤが、ペン８０１のタッチ入力により選択される。そして、選択された添付ＩＤが、転送メール８０２のメールヘッダに記載される。
【００４８】
図９に、メール作成部１０２により作成された転送メール８０２のデータ構造の一例を示す。
同図にみられるように、転送メール８０２は、メールヘッダ９０１とメッセージ９０２とから構成される。
メールヘッダ９０１は、メールの送り主、送り先、他の送り先、主題等からなるサブヘッダ９１１と、添付ＩＤとからなるサブヘッダ９１２とから構成される。サブヘッダ９１１には、転送メールの転送先等が記載される。サブヘッダ９１２には、ＩＤ取得手段１０１により取得した添付ＩＤの一覧表から選択された添付ＩＤが記載される。記載された添付ＩＤの順番は、選択された順番であり、また、転送メール８０２に添付される添付ファイルの順番でもある。
【００４９】
なお、ＲＦＣ８２２形式のメールでは、「Ｘ−」で始まる文字列をユーザ定義用として定義することができることにより、本実施の形態においては、添付ファイルに対応付けられた添付ＩＤであることを識別するために、フィールド識別子を「Ｘ−Ａｔｔａｃｈ−Ｍａｉｌ−ｉｄ」とし、サブヘッダ９１２には、「Ｘ−Ａｔｔａｃｈ−Ｍａｉｌ−ｉｄ：  添付ＩＤ」と記載する。
【００５０】
メッセージ９０２は、テキストデータからなり、記載内容がメールの本文になる。
そして、図３に戻り、同図にみられるように、メール端末装置１００は、メール作成部１０２により作成された転送メール８０２を、メール送信部１０３に渡し、メールゲートウェイ装置１１０に送信する（ステップＳ３０３）。
【００５１】
図１０に、受信メール２００から、メール作成部１０２により作成された転送メール８０２を転送先に送信するシーケンス図を示す。
同図にみられるように、メール端末装置１００は、メールゲートウェイ装置１１０に、メール作成部１０２により作成された転送メール８０２を送信する（Ｓ１００１）。
【００５２】
メールゲートウェイ装置１１０は、転送メール８０２を受信し、受信した転送メール８０２を解析し、転送メール８０２のメールヘッダ９０１から、フィールド識別子「Ｘ−Ａｔｔａｃｈ−Ｍａｉｌ−ｉｄ」に記載の添付ＩＤを抽出する。
そして、抽出した添付ＩＤ（サブヘッダ９１２に記載の添付ＩＤ）に基づいて、メールサーバー装置１２０に、添付ＩＤに対応する添付ファイルの取得要求を出す（Ｓ１００２）。
【００５３】
メールサーバー装置１２０は、添付ファイル取得要求を受け、メールゲートウェイ装置１１０に、メールスプール１２２に保持されている添付ＩＤに対応する添付ファイルを送信する（Ｓ１００３）。
メールゲートウェイ装置１１０は、添付ＩＤに対応する添付ファイルを受信し、受信した添付ＩＤの代わりに、当該添付ＩＤに対応する添付ファイルを添付し、転送メール８０２を構築する。そして、構築したメールを、メールサーバー装置１２０に送信する（Ｓ１００４）。
【００５４】
メールサーバー装置１２０は、構築メールを受信し、受信した構築メールを送り先に配送する。メールを配送する際に、ローカルユーザー宛なら、メールスプール１２２にメールを保持し、リモートユーザー宛の場合は、当該メールの送り先に送信する（Ｓ１００５）。
図１１に、メール端末装置１００から送信された転送メール８０２を、メールゲートウェイ装置１１０により構築する処理（Ｓ１００１からＳ１００４迄の処理）のフローチャート図を示す。
【００５５】
同図にみられるように、メールゲートウェイ装置１１０は、メール受信部１１４により、メール端末装置１００から送信されたメールを受信する（ステップＳ１１０１）と、受信したメールをメール構築部１１３に渡し、メール構築部１１３により、添付ＩＤが含まれるか解析する（ステップＳ１１０２）。
解析の結果、添付ＩＤが含まれる場合は、渡されたメールから添付ＩＤを抽出し（ステップＳ１１０３）、抽出した添付ＩＤに対応する添付ファイルを、メールサーバー装置１２０から取得する（ステップＳ１１０４）。添付ＩＤの代わりに、取得した添付ファイルを渡されたメールに添付し、メールを構築する（ステップＳ１１０５）。構築されたメールを、メール送信部１１５に渡し、メールサーバー装置１２０に送信する（ステップＳ１１０６）。
【００５６】
そのほかにステップＳ１１０２において、添付ＩＤが含まれない場合は、そのまま、受信したメールをメール送信部１１５に渡し、メールサーバー装置１２０に送信する（Ｓ１１０６）。
図１２に、転送メール８０２から、メールゲートウェイ装置１１０により、構築されたメールのデータ構造図を示す。
【００５７】
同図にみられるように、構築メール１２００は、メールヘッダ１２０１、メッセージ１２０２、添付ファイル１２０３乃至１２０６から構成される。
メールヘッダ１２０１は、メールを制御する情報が記載される部分であり、メールの送り主、送り先、他の送り先、主題等が記載される。
メッセージ１２０２は、ＭＩＭＥヘッダ１２２１、ＭＩＭＥメッセージ１２２２から構成される。
【００５８】
添付ファイル１２０３乃至１２０６は、ＭＩＭＥヘッダとＭＩＭＥメッセージとから構成され、添付ファイル１２０３はメッセージ２０２であり、添付ファイル１２０４は添付ファイル２０６であり、添付ファイル１２０５は添付ファイル２０３であり、添付ファイル１２０６は添付ファイル２０５である。
以上説明してきたように、本実施の形態における電子メール送受信システムは、受信メール２００に含まれる個々の添付ファイルに添付ＩＤを対応付ける。そして、対応付けられた添付ＩＤから、メール端末装置１００により受信メール２００の転送メール８０２が作成される。さらに、メールゲートウェイ装置１１０により、転送メール８０２から、構築メール１２００に構築され、最終的に、転送メール８０２の代わりに構築メール１２００が、メールサーバー装置１２０から、当該メールの送り先に配送される。
【００５９】
（その他）
なお、本実施の形態におけるメール端末装置１００は、携帯情報端末としたが、携帯電話、ハンドヘルドＰＣ、ＰＣ等としてもよい。
なお、本実施の形態におけるメール端末装置１００は、メール一通毎に添付ＩＤを取得するとしたが、複数のメールに含まれる複数の添付ファイルの添付ＩＤを取得するとしてもよい。
【００６０】
なお、本実施の形態におけるメール端末装置１００は、蓄積された複数のメールに含まれる複数の添付ファイルを利用して、新規に添付ファイルを含むメールを作成する際にも、添付ファイルの代わりに、当該添付ファイルに対応付けられた添付ＩＤを新規メールに含むとしてもよい。
なお、本実施の形態におけるメールゲートウェイ装置１１０は、メール一通毎に添付ＩＤを対応付けるとしたが、メール一通毎に添付ＩＤを対応付ける以外にも、メール毎に含まれる添付ファイルの一覧表をひとまとめにした一覧表から、添付ＩＤを対応付けるとしてもよい。
【００６１】
なお、本実施の形態におけるメールサーバー装置１２０は、メールゲートウェイ装置１１０からの添付ファイル一覧表取得要求に応じて、添付ファイルの一覧表をメールゲートウェイ装置１１０に送信するとしたが、メール端末装置１００のユーザー宛のメールを受信する毎に、当該受信メールに含まれる添付ファイルの一覧表をメールゲートウェイ装置１１０に送信するとしてもよい。
【００６２】
なお、本実施の形態における添付ファイルの一覧表は、受信したメールのメールヘッダとＭＩＭＥヘッダからなるヘッダ情報としたが、受信したメールのヘッダ情報でなくてもよい。受信したメールのヘッダ情報から、作成されたものであり、添付ファイルを区別できる情報であればよい。とりわけ、添付ファイルのファイル名からなる一覧表でもよいし、単に添付ファイルの数でもよい。
【００６３】
なお、本実施の形態における添付ＩＤの形式は、「メッセージＩＤ：添付ファイルの添付順」としたが、「メッセージＩＤ：添付ファイルの添付順：添付ファイルのファイル名」としてもよい。
なお、本実施の形態における添付ＩＤの一覧表は、メール端末装置１００に備わるＭＵＡにより閲覧するとしたが、ＷＷＷブラウザソフトにより閲覧（取得）するとしてもよい。
【００６４】
なお、メールゲートウェイ装置１１０とメールサーバー装置１２０とは、一体のコンピュータシステムとしてもよい。
なお、本実施の形態における電子メール送受信システムは、コンピュータ等、一般のハードウェア上で、添付ＩＤに対応する添付ファイルを添付し、メールを構築するプログラムと、添付することを希望する添付ファイルに対応付けられた添付ＩＤを含むメールを作成するプログラムとを備えることによりなし得る。これらのプログラムは、ＣＤ−ＲＯＭ等のコンピュータ読み取り可能な記録媒体に記録しておくことにより、他のコンピュータでも実行することが可能となる。また、これらのプログラムは、ネットワーク等の通信媒体を経由して読み取ったコンピュータでも実行することにより可能となる。
【００６５】
（実施の形態２）
図１３は、実施の形態２における、メール端末装置１４０、メールゲートウェイ装置１５０、メールサーバー装置１２０から構成される電子メール送受信システムのブロック図を示している。
同図は、図１の構成と比べて、メール端末装置１００の代わりにメール端末装置１４０を備え、メールゲートウェイ装置１１０の代わりにメールゲートウェイ装置１５０を備える点が異なっている。以下、図１と同じ構成要素は説明を省略して、異なる構成要素を中心に説明する。
【００６６】
（メール端末装置１００とは異なる点の構成）
同図にみられるように、メール端末装置１４０は、メール端末装置１００と比べて、さらに、ファイル形式登録部１４１を備える点が異なる。
ファイル形式登録部１４１は、メールゲートウェイ装置１５０に、メールの送り先と、メールの送り先が採用すべき添付ファイルのファイル形式とからなるファイル形式変換情報を送信する。
【００６７】
（メールゲートウェイ装置１１０とは異なる点の構成）
メールゲートウェイ装置１５０は、メールゲートウェイ装置１１０と比べて、メール構築部１１３の代わりに、メール構築部１５３を備え、さらに、データ変換部１５１、ファイル形式記憶部１５２とを備える点が異なる。
データ変換部１５１は、メール端末装置１４０から送信されたファイル形式変換情報を受信し、ファイル形式記憶部１５２に記憶する。また、メール構築部１５３から渡された添付ファイルを、ファイル形式記憶部１５２により記憶されているファイル形式変換情報に基づいて、メールの送り先毎に、当該添付ファイルのファイル形式を変換する。そして、変換した添付ファイルを、メール構築部１５３に渡す。
【００６８】
ファイル形式記憶部１５２は、メールの送り先毎に、ファイル形式変換情報を記憶する。
メール構築部１５３は、図１に示したメール構築部１１３と比べて、さらに、メール取得部１１２より取得した添付ファイルと当該添付ファイルの送り先とを、データ変換部１５１に渡し、データ変換部１５１により変換された添付ファイルを受け取り、メールの送り先毎に、メールを構築する点が異なる。
【００６９】
（実施の形態１とは異なる点の動作）
以上のように構成された電子メール送受信システムについて、実施の形態１とは異なる点を中心に実施の形態２における動作を説明する。
図１４に、メールゲートウェイ装置１５０により、メールの送り先毎に添付ファイルを変換する処理と変換された添付ファイルをメールの送り先毎に構築する処理のフローチャート図を示す。
【００７０】
同図にみられるように、メールゲートウェイ装置１５０は、メール受信部１１４により、メール端末装置１４０から送信されたメールを受信する（ステップＳ１４０１）と、受信したメールをメール構築部１５３に渡し、メール構築部１５３により、メールの送り先を抽出し、変数Ｎにメールの送り先の総数を代入する（ステップＳ１４０２）。そして、渡されたメールに添付ＩＤが含まれるか解析する（ステップＳ１４０３）。
【００７１】
解析の結果、添付ＩＤが含まれる場合は、渡されたメールから添付ファイルに対応づけられた添付ＩＤを抽出し（ステップＳ１４０４）、抽出した添付ＩＤに対応する添付ファイルをメールサーバー装置１２０から取得する（ステップＳ１４０５）。そのほかにステップＳ１４０３において、添付ＩＤが含まれない場合は、メールに含まれる添付ファイルの数を調べる（ステップＳ１４０６）。もし、メールに添付ファイルが含まれない場合は、そのまま受信したメールを、メール送信部１１５に渡し、メールサーバー装置１２０に送信する（ステップ１４１７）。
【００７２】
次に、渡されたメールに含まれる添付ファイルの総数を変数Ｍに代入し（Ｓ１４０７）、１を変数Ｘに代入し（ステップＳ１４０８）、１を変数Ｙに代入する（ステップＳ１４０９）。
そして、ファイル形式記憶部１５２に記憶されている、ファイル形式変換情報に基づいて、Ｘ番目のメールの送り先に対する、Ｙ番目の添付ファイルのファイル形式を調べる。（ステップＳ１４１０）。
【００７３】
メールの送り先とメールの送り先が採用すべき添付ファイルのファイル形式とが対応されている（ファイル形式が指定されている）場合は、当該添付ファイルをメールの送り先が採用すべき添付ファイルのファイル形式に変換する（ステップＳ１４１１）。
次に、変数Ｙの数値と変数Ｍの数値が等しいか判定する（ステップＳ１４１２）。等しくない場合は、変数Ｙに１を加算して、ステップＳ１４１０に戻る（ステップＳ１４１３）。等しい場合は、添付ＩＤ又は添付ファイルの代わりに、取得された添付ファイル又は変換された添付ファイルを、Ｘ番目のメールの送り先のメールに添付し、メールを構築する（ステップＳ１４１４）。
【００７４】
次に、変数Ｘの数値と変数Ｎの数値が等しいか判定する（ステップＳ１４１５）。等しくない場合は、変数Ｘに１を加算して、ステップＳ１４０９に戻る（ステップＳ１４１６）。等しい場合は、メールの送り先毎に、構築されたメールを、メール送信部１１５に渡し、メールサーバー装置１２０に送信する（ステップＳ１４１７）。
【００７５】
図１５に、メール端末装置１４０から送信されたメール（メール作成部１０２により作成されたメール）のデータ構造図を示す。
同図にみられるように、メール１５００は、メールヘッダ１５０１、メッセージ１５０２から構成される。
メールヘッダ１５０１は、送り主（Ｆｒｏｍ：  ｕｓｅｒ１＠ａａａ．ａａａ．ａａ）、送り先（Ｔｏ：  ｕｓｅｒ２＠ｂｂｂ．ｂｂｂ．ｂｂ、  ｕｓｅｒ３＠ｃｃｃ．ｃｃｃ．ｃｃ）、他の送り先（Ｃｃ：  ｕｓｅｒ４＠ｄｄｄ．ｄｄｄ．ｄｄ）、主題（Ｓｕｂｊｅｃｔ：  資料です！）が記載されている。そして、さらに、メール１５００に添付することを希望する添付ファイルに対応付けられた添付ＩＤ（Ｘ−Ａｔｔａｃｈ−Ｍａｉｌ−ｉｄ：  ００１１２２３３：００２と、Ｘ−Ａｔｔａｃｈ−Ｍａｉｌ−ｉｄ：  ００１１２２３３：００４）が記載されている。
【００７６】
メッセージ１５０２は、テキストデータからなり、記載内容がメールの本文になる。
なお、ここで、添付ＩＤ「００１１２２３３：００２」に対応付けられた添付ファイルは、ファイル名「ｓｈｉｒｙｏｕ１．ｄｏｃ」のドキュメントファイルとし、添付ＩＤ「００１１２２３３：００４」に対応付けられた添付ファイルは、ファイル名「ｓｈｉｒｙｏｕ２．ｂｍｐ」の画像ファイルとする。
【００７７】
図１６に、ファイル形式記憶部１５２により記憶されるファイル形式変換情報の一例を示す。
同図にみられるように、ファイル形式記憶部１５２は、メールの送り先と、メールの送り先が採用すべき添付ファイルのファイル形式とからなる対応表１６００を記憶する。
【００７８】
図１７（ａ）、（ｂ）、（ｃ）に、メール１５００から、メールの送り先毎に、構築されたメールのデータ構造図を示す。なお、メールの構築にあたり、対応表１６００のファイル形式変換情報に基づいて、メールの送り先毎に、添付ファイルのファイル形式を変換する。
同図にみられるように、メール１５００（１通のメール）から、メール１７００（送り先：ｕｓｅｒ２＠ｂｂｂ．ｂｂｂ．ｂｂ）、メール１７０１（送り先：ｕｓｅｒ３＠ｃｃｃ．ｃｃｃ．ｃｃ）、メール１７０２（送り先：ｕｓｅｒ４＠ｄｄｄ．ｄｄｄ．ｄｄ）の３通のメールが作成される。
【００７９】
以上説明してきたように、本実施の形態における電子メール送受信システムは、受信したメールに含まれる添付ファイルを転送する際に、メールの送り先毎に、添付ファイルのファイル形式を変換し、メールが構築がされる。これにより、複数の送り先に対して、それぞれの送り先に配慮された添付ファイルを含むメールを、当該メールの送り先に送信することが可能となる。
【００８０】
（その他）
なお、本実施の形態におけるメール端末装置１４０は、ＷＷＷブラウザソフトを利用して、メールゲートウェイ装置１５０に、ファイル形式変換情報を登録するとしてもよい。
（実施の形態３）
図１８は、実施の形態３における、メール端末装置１６０、メールゲートウェイ装置１７０、メールサーバー装置１２０から構成される電子メール送受信システムのブロック図を示している。
【００８１】
同図は、図１の構成と比べて、メール端末装置１００の代わりにメール端末装置１６０を備え、メールゲートウェイ装置１１０の代わりにメールゲートウェイ装置１７０を備える点が異なっている。以下、図１と同じ点は説明を省略して、異なる点を中心に説明する。
（メール端末装置１００とは異なる点の構成）
メール端末装置１６０は、メール端末１００と比べて、メール作成部１０２の代わりに、メール作成部１６２を備える点が異なる。
【００８２】
メール作成部１６２は、図１に示したメール作成部１０２と比べて、さらに、メールヘッダに記載の「Ｘ−Ａｔｔａｃｈ−Ｍａｉｌ−ｉｄ」フィールドのデータ形式を、「Ｘ−Ａｔｔａｃｈ−Ｍａｉｌ−ｉｄ：  添付ＩＤ」の代わりに、「Ｘ−Ａｔｔａｃｈ−Ｍａｉｌ−ｉｄ：  添付ＩＤ：添付ファイルの処理情報」とする。
【００８３】
ここで、添付ファイルの処理情報とは、ユーザーにより選択された添付ＩＤに対応する添付ファイルを、メールゲートウェイ装置１７０により施される処理（例えば、添付ファイルのファイル形式の変換等）を指定し、変換される「添付ファイルのファイル形式」と、変換された「添付ファイルの送り先」とから構成される情報を指す。
【００８４】
つまり、メールヘッダに、「Ｘ−Ａｔｔａｃｈ−Ｍａｉｌ−ｉｄ：  添付ＩＤ：添付ファイルの処理情報」記載のメールは、「添付ＩＤ」により指定された添付ファイルを、「添付ファイルの処理情報」の「添付ファイルのファイル形式」により指定されたファイル形式に変換し、変換された添付ファイルを、「添付ファイルの処理情報」の「添付ファイルの送り先」により指定された送り先に送信する。
【００８５】
なお、本実施の形態における「添付ファイルの処理情報」の形式は、「添付ファイルのファイル形式：添付ファイルの送り先」とする。また、添付ファイルの処理情報の「添付ファイルのファイル形式」と「添付ファイルの送り先」とは省略可能とし、「添付ファイルの処理情報」の「添付ファイルのファイル形式」を省略した場合は、「添付ＩＤ」に対応する添付ファイルを「添付ファイルの処理情報」の「添付ファイルの送り先」により指定された送り先に送信し、「添付ファイルの送り先」を省略した場合は、「添付ＩＤ」に対応する添付ファイルを、「添付ファイルの処理情報」の「添付ファイルのファイル形式」により指定されたファイル形式に変換し、変換された添付ファイルをメールに添付する。
【００８６】
（メールゲートウェイ装置１１０とは異なる点の構成）
メールゲートウェイ装置１７０は、メールゲートウェイ装置１１０と比べて、メール構築部１１３の代わりに、メール構築部１７３を備え、さらに、データ変換部１７１、及びＦＡＸ送信部１７２を備える点が異なる。
データ変換部１７１は、メール構築部１７３から渡された添付ファイルと当該添付ファイルを変換するファイル形式とを受け取り、当該添付ファイルのファイル形式を変換する。そして、変換した添付ファイルを、メール構築部１７３に渡す。
【００８７】
ＦＡＸ送信部１７２は、メール構築部１７３から渡された添付ファイル（ＦＡＸ形式に変換された添付ファイル）とＦＡＸ送信先とを受け取り、ＦＡＸ送信先に当該添付ファイルをＦＡＸする。
メール構築部１７３は、図１に示したメール構築部１１３と比べて、さらに、メール取得部１１２により取得した添付ファイルとメールヘッダに記載の当該添付ファイルの処理情報（ファイル形式と送り先）とを、データ変換部１７１に渡し、データ変換部１７１により変換された添付ファイルを受け取り、添付ファイルの送り先毎に、メールを構築する。構築したメールはメール送信部１１５に渡し、ＦＡＸ指定の添付ファイルはＦＡＸ送信先の番号と共に、ＦＡＸ送信部１７２に渡す。
【００８８】
（実施の形態１とは異なる点の動作）
以上のように構成された電子メール送受信システムについて、実施の形態１とは異なる点を中心に実施の形態３における動作を説明する。
メール作成部１６２により、「Ｘ−Ａｔｔａｃｈ−Ｍａｉｌ−ｉｄ：  添付ＩＤ：添付ファイルの処理情報」をメールヘッダに記載したメールが作成される。
作成されたメールは、メール送信部１０３に渡され、メールゲートウェイ装置１７０に送信される。メール端末装置１６０から送信されたメールを受信したメールゲートウェイ装置１７０は、メールヘッダに記載の「添付ファイルの処理情報」から、メールヘッダに記載された「添付ＩＤ」に対応する添付ファイルの処理を施す。
【００８９】
図１９に、メール作成部１６２により作成されたメールのデータ構造図の一例を示す。
同図にみられるように、メール１９００は、メールヘッダ１９０１とメッセージ１９０２とから構成される。メールヘッダ１９０１には、送り主（Ｆｒｏｍ：ｕｓｅｒ＿ａ＠ｘｘｘ．ｘｘｘ．ｘｘｘ）、送り先（Ｔｏ：  ｕｓｅｒ＿ｂ＠ｙｙｙ．ｙｙｙ．ｙｙｙとｕｓｅｒ＿ｃ＠ｚｚｚ．ｚｚｚ．ｚｚｚ）、主題（Ｓｕｂｊｅｃｔ：  資料です！！）が記載されたサブヘッダ１９１１と、添付することを希望する添付ファイルに対応付けられた添付ＩＤが記載されたサブヘッダ１９１２から構成される。
【００９０】
例えば、「ＡＢＣＤＥＦＧＨ：００４」に対応する添付ファイルのファイル名を「Ｆｉｌｅ１．ｔｘｔ」とし、「ＰＱＲＳＴＵＶＷ：００２」に対応する添付ファイルのファイル名を「Ｆｉｌｅ２．ｇｉｆ」とし、「ＥＦＧＨＩＪＫＬ：００５」に対応する添付ファイルのファイル名を「Ｆｉｌｅ３．ｂｍｐ」とし、「ＧＨＩＪＫＬＭＮ：００３：ｆａｘ」に対応する添付ファイルのファイル名を「Ｆｉｌｅ４．ｊｐｇ」とし、メール１９００を受信したメールゲートウェイ装置１７０は、サブヘッダ１９１２記載に基づいて、次の処理を施す。
【００９１】
「メッセージＩＤ：ＡＢＣＤＥＦＧＨ」のメールに含まれる第４番目（メールの先頭から数えて）の添付ファイルを、メールに添付する（「Ｘ−Ａｔｔａｃｈ−Ｍａｉｌ−ｉｄ：  ＡＢＣＤＥＦＧＨ：００４」）。
「メッセージＩＤ：ＰＱＲＳＴＵＶＷ」のメールに含まれる第２番目（メールの先頭から数えて）の添付ファイルを、ｂｍｐ形式に変換し、変換された添付ファイル（変換後のファイル名を「Ｆｉｌｅ２．ｂｍｐ」とする）をメールに添付する（「Ｘ−Ａｔｔａｃｈ−Ｍａｉｌ−ｉｄ：  ＰＱＲＳＴＵＶＷ：００２：ｂｍｐ」）。
【００９２】
「メッセージＩＤ：ＥＦＧＨＩＪＫＬ」のメールに含まれる第５番目（メールの先頭から数えて）の添付ファイルを、ｊｐｇ形式に変換し、変換された添付ファイル（変換後のファイル名を「Ｆｉｌｅ３．ｊｐｇ」とする）を送り先（ｕｓｅｒ＿ｃ＠ｚｚｚ．ｚｚｚ．ｚｚｚ）のメールに添付する（「Ｘ−Ａｔｔａｃｈ−Ｍａｉｌ−ｉｄ：  ＥＦＧＨＩＪＫＬ：００５：ｊｐｇ：ｕｓｅｒ＿ｃ＠ｚｚｚ．ｚｚｚ．ｚｚｚ」）。
【００９３】
「メッセージＩＤ：ＧＨＩＪＫＬＭＮ」のメールに含まれる第３番目（メールの先頭から数えて）の添付ファイルを、ＦＡＸ形式に変換し、変換された添付ファイルをＦＡＸ送信番号”０１２３−４５−６７８９”にＦＡＸする（「Ｘ−Ａｔｔａｃｈ−Ｍａｉｌ−ｉｄ：  ＧＨＩＪＫＬＭＮ：００３：ｆａｘ：０１２３４５６７８９」）。
【００９４】
メールゲートウェイ装置１７０により処理が施された結果、メール１９００から、メールの送り先毎に、メールが構築される。
図２０（ａ）、（ｂ）に、メール１９００から、メールの送り先毎に、構築されたメールのデータ構造図を示す。なお、図２０（ａ）は、送り先（ｕｓｅｒ＿ｂ＠ｙｙｙ．ｙｙｙ．ｙｙｙ）の構築メール２０００であり、図２０（ｂ）は、送り先（ｕｓｅｒ＿ｃ＠ｚｚｚ．ｚｚｚ．ｚｚｚ）の構築メール２００１である。
【００９５】
同図にみられるように、「添付ファイルの処理情報」の「添付ファイルの送り先」を指定すると、指定した送り先のみに添付ファイルが添付される。また、「添付ファイルのファイル形式」にＦＡＸ形式と、「添付ファイルの送り先」にＦＡＸ送信先番号を指定すると、指定した添付ＩＤに対応する添付ファイルをＦＡＸ形式に変換し、変換した添付ファイルをＦＡＸ送信先にＦＡＸする。
【００９６】
以上説明してきたように、本実施の形態における電子メール送受信システムは、受信したメールに含まれる個々の添付ファイルを転送する際に、メールの送り先毎に添付ファイルのファイル形式を変換し、メールが構築される。また、メール以外にも、個々の添付ファイルをＦＡＸに送信し、ＦＡＸを簡易プリンタとして利用することにより、受信した添付ファイルを確認することも、また、メールを受け取る環境を有しない人にも、添付ファイルの内容をみせることも可能となる。
【００９７】
（その他）
なお、本実施の形態におけるメールゲートウェイ装置１７０は、ＦＡＸ形式に変換できない添付ファイル（例えば、音声情報や動画情報等）は、変換できない旨をメールの送り主とＦＡＸの送り先に通知するとしてもよい。
（実施の形態４）
図２１は、実施の形態４における、メール端末装置１８０、メールゲートウェイ装置１９０、メールサーバー装置１２０から構成される電子メール送受信システムのブロック図を示している。
【００９８】
同図は、図１の構成と比べて、メール端末装置１００の代わりにメール端末装置１８０を備え、メールゲートウェイ装置１１０の代わりにメールゲートウェイ装置１９０を備える点が異なっている。以下、図１と同じ点は説明を省略して、異なる点を中心に説明する。
（メール端末装置１００とは異なる点の構成）
同図にみられるように、メール端末装置１８０は、メール端末装置１００と比べて、ＩＤ取得部１０１、及びメール作成部１０２との代わりに、ＩＤ取得部１８１、及びメール作成部１８２とを備え、さらに、共有通知部１８４を備える点が異なる。
【００９９】
ＩＤ取得部１８１は、図１に示したＩＤ取得部１０１と比べて、さらに、メール端末装置１８０のユーザー宛に送られた添付ファイルの中から、他のユーザーと共有することを希望する添付ファイルを共有通知部１８４に通知する。通知するにあたっては、ＩＤ取得部１８１により取得した添付ＩＤの一覧表から、他のユーザーと共有することを希望する添付ファイルに対応付けられた添付ＩＤを共有通知部１８４に渡す。また、他のユーザーが所有する添付ファイルのうち、メール端末装置１８０のユーザーにも共有されている添付ファイルに対応付けられた共有ＩＤの一覧表も取得する。取得した共有ＩＤの一覧表は、メール作成部１８２に渡される。
【０１００】
ここで、共有ＩＤとは、メール取得部１９２により対応付けられた識別子とは異なり、共有ＩＤ管理部１９４により対応付けられた識別子であり、共有ＩＤが対応づけられた添付ファイルの共有者間のみで利用可能な識別子を指す。
メール作成部１８２は、図１に示したメール作成部１０２と比べて、さらに、ＩＤ取得部１８１から渡された共有ＩＤの一覧表に基づいて、転送する添付ファイルを共有ＩＤにより指定することが可能である。なお、共有ＩＤの指定は、メールヘッダに「Ｘ−Ａｔｔａｃｈ−Ｍａｉｌ−ｉｄ：  添付ＩＤ」とする代わりに、「Ｘ−Ａｔｔａｃｈ−Ｍａｉｌ−ｉｄ：  共有ＩＤ」とすればよい。
【０１０１】
共有通知部１８４は、ＩＤ取得部１８１から渡された添付ＩＤを受け取り、当該添付ＩＤに対応する添付ファイルを共有するユーザー（共有者）を指定し、当該添付ＩＤと当該添付ＩＤに対応する添付ファイルの共有者とからなる共有情報をメールゲートウェイ装置１９０に送信する。ただし、メール端末装置１８０のユーザーが所有する添付ファイルのみ共有者を指定することが可能である。
【０１０２】
（メールゲートウェイ装置１１０とは異なる点の構成）
メールゲートウェイ装置１９０は、メールゲートウェイ装置１１０と比べて、ＩＤ記憶部１１１、メール取得部１１２、及びメール構築部１１３との代わりに、ＩＤ記憶部１９１、メール取得部１９２、及びメール構築部１９３とを備え、さらに、共有ＩＤ管理部１９４を備える点が異なる。
【０１０３】
ＩＤ記憶部１９１は、図１に示したＩＤ記憶部１１１と比べて、さらに、共有ＩＤ管理部１９４により対応付けられた共有ＩＤの一覧表も記憶する。
図２２に、ＩＤ記憶部１９１により記憶される「添付ＩＤ」と「共有ＩＤ」と「共有者」とからなる対応表の一例を示す。
メール取得部１９２は、図１に示したメール取得部１１２と比べて、さらに、メール端末装置１８０からのＩＤ取得要求に応じて、ＩＤ記憶部１９１により記憶されている共有ＩＤの一覧表も、メール端末装置１８０に送信する。また、メール構築部１９３からの添付ファイル取得要求に応じて、ＩＤ記憶部１９１により記憶されている添付ＩＤの一覧表と共有ＩＤの一覧表との対応に基づいて、メールサーバー装置１２０から共有ＩＤに対応する添付ファイル（共有ＩＤに対応する添付ＩＤに対応する添付ファイルであり、他のユーザーが所有する添付ファイル）も取得する。
【０１０４】
メール構築部１９３は、図１に示したメール構築部１１３と比べて、さらに、受け取った送信メールに共有ＩＤが含まれる場合は、共有ＩＤを抽出し、抽出した共有ＩＤに対応する添付ファイルの取得要求をメール取得部１９２に出し、メール取得部１９２から共有ＩＤに対応する添付ファイルを受け取る。なお、この場合、メールの送り主が、当該添付ファイルの共有者に属することが必要である。
【０１０５】
共有ＩＤ管理部１９４は、メール端末装置１８０から送信された共有情報を受信し、共有情報から、共有情報の添付ＩＤ毎に、共有ＩＤを生成し、対応付け、「共有ＩＤ」に「添付ＩＤ」と「共有者」とを対応付け、ＩＤ記憶部１５１に記憶する。ただし、共有情報の添付ＩＤに、既に共有ＩＤが対応付けられているならば、共有情報の共有者を、既に対応付けられた共有ＩＤに対応する共有者に追加する。
【０１０６】
（実施の形態１とは異なる点の動作）
以上のように構成された電子メール送受信システムについて、実施の形態１とは異なる点を中心に実施の形態４における動作を説明する。
図２３は、メール端末装置１８０のユーザーが所有する添付ファイルを、他のユーザーと共有する処理のフローチャート図を示している。
【０１０７】
（メール端末装置１８０の処理）
ＩＤ取得部１８１により取得した添付ＩＤの一覧表から、他のユーザーと共有することを希望する添付ファイルに対応付けられた添付ＩＤを共有通知部１８４に渡す（ステップＳ２３０１）。次に、ＩＤ取得部１８１から渡された添付ＩＤを受け取り、当該添付ＩＤに対応する添付ファイルの共有者を指定し、当該添付ＩＤと当該添付ＩＤに対応する添付ファイルの共有者とからなる共有情報をメールゲートウェイ装置１９０に送信する（ステップＳ２３０２）。ただし、メール端末装置１８０のユーザーが所有する添付ファイルのみ、共有者を指定することが可能である。
【０１０８】
（メールゲートウェイ装置１９０の処理）
そして、メールゲートウェイ装置１９０は、メール端末装置１８０から送信された共有情報を受信し、共有情報から、共有情報の添付ＩＤ毎に、共有ＩＤを生成し、対応付け、「共有ＩＤ」に「添付ＩＤ」と「共有者」とを対応付け、ＩＤ記憶部１９１に記憶する。ただし、共有情報の添付ＩＤに、既に共有ＩＤが対応付けられているならば、共有情報の共有者を、既に対応付けられた共有ＩＤに対応する共有者に追加する（ステップＳ２３０３）。
【０１０９】
以上、共有ＩＤ（共有された添付ファイルに対応付けられたＩＤ）は、当該添付ファイルの共有者がＩＤ取得要求をメールゲートウェイ装置１９０に出したときに、添付ＩＤと共にメールゲートウェイ装置１９０から送信される。そして、受信した共有ＩＤは、共有者間で利用することができる。
次に、メール端末装置１８０から送信された共有ＩＤを含むメールを構築する処理を説明する。
【０１１０】
図２４に、メールゲートウェイ装置１９０により、メール端末装置１８０から送信された共有ＩＤを含むメールを構築する処理のフローチャート図を示す。
同図にみられるように、メール端末装置１８０から送信され、メールゲートウェイ装置１９０により受信されたメールを、メール構築部１９３に渡す。渡されたメールは、メール構築部１９３により、共有ＩＤが含まれるか解析される（ステップＳ２４０１）。
【０１１１】
解析の結果、共有ＩＤが含まれない場合は、そのまま受信したメールを、メールサーバー装置１２０に送信する（ステップＳ２４０５）。共有ＩＤが含まれる場合は、渡されたメールから共有ＩＤを抽出する（ステップＳ２４０２）。抽出した共有ＩＤに対応する添付ファイルを、メールサーバー装置１２０から取得する（ステップＳ２４０３）。共有ＩＤの代わりに、取得した添付ファイルを受信したメールに添付し、メールを構築する（ステップＳ２４０４）。構築されたメールを、メールサーバー装置１２０に送信する（ステップＳ２４０５）。
【０１１２】
以上説明してきたように、本実施の形態における電子メール送受信システムは、受信したメールに含まれる個々の添付ファイルを、他のユーザーからも利用できるように共有し、共有した添付ファイルに共有ＩＤを対応づける。そして、対応づけられた共有ＩＤは、共有者間で利用でき、共有ＩＤを含むメールを作成することにより、他のユーザーが所有する添付ファイルも、当該メールの送り先に送信することが可能となる。
【０１１３】
【発明の効果】
本発明に係わる電子メール送受信システムは、メール端末装置と、メールサーバ装置と、ネットワークを介してメール端末装置と接続され、別のネットワークを介してメールサーバ装置と接続されるメールゲートウェイ装置とから構成される電子メール送受信システムであって、前記メールサーバ装置においては、前記メール端末装置のユーザ宛に送られたメールを受信し、受信したメールに含まれる少なくとも１つ以上の添付ファイルを保持する添付ファイル保持手段と、前記メールゲートウェイ装置から送信されたメールを受信し、当該メールの送り先に配送するメール配送手段とを備える。
【０１１４】
さらに、前記メールゲートウェイ装置においては、添付ファイル保持手段により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、受信手段により受信されたメールに含まれる識別子に対応する添付ファイルを、添付ファイル保持手段から取得する添付ファイル取得手段と、添付ファイル取得手段により取得された添付ファイルを、受信手段により受信されたメールに添付することによりメールを構築する構築手段と、構築手段により構築されたメールを、メールサーバ装置に送信するメール送信手段とを備える。
【０１１５】
そして、前記メール端末装置においては、前記メールゲートウェイ装置から、前記識別子の一覧表を受信する一覧表受信手段と、メールに添付されることが所望される添付ファイルの代わりとして、一覧表受信手段により受信された識別子の一覧表からユーザにより選択された識別子を含むメールを作成する作成手段と、作成手段により作成されたメールを、前記メールゲートウェイ装置に送信する送信手段とを備える。
【０１１６】
この構成によって本発明の電子メール送受信システムは、受信したメールに含まれる添付ファイルを利用する際に、受信したメールに含まれる個々の添付ファイルに添付ＩＤを対応付ける。これにより、転送する添付ファイルをメール端末装置に用意し、そしてメールに添付せずとも、添付することを希望する添付ファイルを、添付ＩＤにより一つずつ選択し、選択された添付ファイルを含むメールを、当該メールの送り先に送信することが可能となる。さらに、過去に受信し、蓄積したメールに含まれる添付ファイルを利用して、新規に添付ファイルを含むメールを作成することも可能となる。また、添付ファイルを含むメールと比較して、当該添付ファイルに対応付けられたＩＤを含むメールは、メールのサイズが小さく、メール端末装置とメールゲートウェイ装置間の回線にかかる負荷を小さくし、伝送速度が低速な携帯電話でも、実用的（短時間で低コスト）に、メールの送り先に添付ファイルを送信（添付ファイルを転送）することが可能という効果がある。
【０１１７】
さらに、メール端末装置により、受信したメールに含まれる個々の添付ファイルに対応付けられた添付ＩＤを含むメールを作成することが可能となり、作成されたメールを送り先に送信することが可能という効果がある。
さらに、本発明に係わる電子メール送受信システムは、前記添付ファイル保持手段は、添付ファイルを含むメールを受信するたびに、受信したメールに含まれる添付ファイルの一覧表を生成して識別子生成手段に渡し、前記識別子生成手段は、添付ファイル保持手段から渡された添付ファイルの一覧表に基づいて、添付ファイルごとに識別子を生成するとしてもよい。
【０１１８】
この構成によって本発明の電子メール送受信システムは、さらに、前記効果以外に、メールを受信すると、当該メールのユーザー宛に添付ファイルに対応付けられた添付ＩＤの一覧表を通知することにより、ユーザーに添付ＩＤの一覧表を取得する作業を省略することが可能という効果がある。
または、本発明に係わる電子メール送受信システムは、前記メール端末装置においては、さらに、メールの送り先ごとに、メールの送り先が採用すべき添付ファイルのファイル形式を、メールゲートウェイ装置に登録するファイル形式登録手段を備える。
【０１１９】
そして、前記メールゲートウェイ装置においては、さらに、ファイル形式登録手段により登録されたメールの送り先とファイル形式とを記憶するファイル形式記憶手段と、ファイル形式記憶手段により記憶されているメールの送り先とファイル形式とに基づいて、メールの送り先ごとに、添付ファイルのファイル形式を変換するファイル形式変換手段とを備え、前記構築手段は、添付ファイル取得手段により取得された添付ファイルの代わりに、当該添付ファイルからファイル形式変換手段により変換された添付ファイルを添付することによりメールを構築するとしてもよい。
【０１２０】
この構成によって本発明の電子メール送受信システムは、さらに、前記効果以外に、メールの送り先毎に、添付ファイルを変換し、メールを構築し、メールの送り先毎に適したメールを送信することが可能という効果がある。
または、本発明に係わる電子メール送受信システムは、前記メール端末装置においては、さらに、前記メール端末装置のユーザ宛に送られたメールに含まれた添付ファイルを他のユーザと共有する旨を、前記メールゲートウェイ装置に通知する共有通知手段を備える。
【０１２１】
そして、前記メールゲートウェイ装置においては、さらに、メール端末装置から他のユーザと共有する旨を受けると、添付ファイル保持手段により保持されている添付ファイルごとに、他のユーザと共有する添付ファイル共有手段と、添付ファイル共有手段により共有された添付ファイルごとに、当該添付ファイルの共有者間で利用される共有識別子を生成する共有識別子生成手段とを備え、前記共有通知手段は、さらに、共有を許可する添付ファイルの代わりとして、前記識別子の一覧表からユーザにより選択された識別子をメールゲートウェイ装置に通知する共有ファイル通知部と、共有を許可する添付ファイルごとに、当該添付ファイルの少なくとも１人以上の共有者をメールゲートウェイ装置に通知する共有ユーザ通知部とを備え、前記添付ファイル共有手段は、添付ファイル保持手段により保持されている添付ファイルのうち、共有ファイル通知部から通知された識別子に対応する添付ファイルを、共有ユーザ通知部から通知された共有者間で共有し、前記一覧表送信手段は、さらに、添付ファイルの共有者に前記共有識別子の一覧表を送信し、前記添付ファイル取得手段は、さらに、前記共有識別子に対応する添付ファイルを取得し、前記一覧表受信手段は、さらに、前記メール端末装置のユーザが共有している各添付ファイルに対応する共有識別子の一覧表を受信するとしてもよい。
【０１２２】
この構成によって本発明の電子メール送受信システムは、さらに、前記効果以外に、他のユーザー宛に送られたメールに含まれる添付ファイルも、当該添付ファイルの共有者であれば利用することが可能となり、他のユーザーから提供された添付ファイルも、メールに添付し、他のユーザーが所有する添付ファイルを含むメールを送信することが可能という効果がある。
【０１２３】
本発明に係わるメールゲートウェイ装置は、ネットワークを介して、メール端末装置と接続され、別のネットワークを介して、前記メール端末装置のユーザ宛に送られたメールを受信し、受信したメールに含まれる少なくとも１つ以上の添付ファイルを保持するメールサーバ装置と接続されるメールゲートウェイ装置であって、前記メールサーバ装置により保持されている添付ファイルごとに識別子を生成する識別子生成手段と、識別子生成手段により生成された識別子の一覧表を生成し、前記メール端末装置に送信する一覧表送信手段と、前記メール端末装置から送信されるメールに添付されることが所望される添付ファイルの代わりとして、前記識別子の一覧表からメール端末装置のユーザにより選択された少なくとも１つ以上の識別子が含まれるメールを受信する受信手段と、受信手段により受信されたメールに含まれる識別子に対応する添付ファイルを、メールサーバ装置から取得する添付ファイル取得手段と、添付ファイル取得手段により取得された添付ファイルを、受信手段により受信されたメールに添付することによりメールを構築する構築手段と、構築手段により構築されたメールを、前記メールサーバ装置に送信するメール送信手段を備えるとする。
【０１２４】
この構成によって本発明のメールゲートウェイ装置は、受信されたメールに含まれる個々の添付ファイルに添付ＩＤを対応付けることにより、受信されたメールに含まれる添付ファイルが利用される際に、メール端末装置から送信されたメールに転送される添付ファイルが添付されていなくても、添付することを希望する添付ファイルに対応付けられたＩＤにより  当該ＩＤに対応する添付ファイルを含むメールを構築し、当該メールの送り先に送信することが可能という効果がある。
【０１２５】
本発明に係わるメール端末装置は、ネットワークを介して、メール端末装置のユーザ宛に送られたメールに含まれる添付ファイルごとに識別子を生成し、生成した識別子を管理しているメールゲートウェイ装置と接続されるメール端末装置であって、前記メールゲートウェイ装置から、前記識別子の一覧表を受信する一覧表受信手段と、メールに添付されることが所望される添付ファイルの代わりとして、一覧表受信手段により受信された識別子の一覧表からユーザにより選択された識別子を含むメールを作成する作成手段と、作成手段により作成されたメールを、前記メールゲートウェイ装置に送信する送信手段とを備えるとする。
【０１２６】
この構成によって本発明のメール端末装置は、受信したメールに含まれる添付ファイルを利用する際に、添付ＩＤを含むメールを作成することにより、当該添付ＩＤに対応する添付ファイルが添付されたメールを、当該メールの送り先に送信することが可能という効果がある。
本発明に係わる制御方法は、メール端末装置と、メールサーバ装置と、ネットワークを介してメール端末装置とに接続され、別のネットワークを介してメールサーバ装置とに接続されるメールゲートウェイ装置とから構成される電子メール送受信システムを制御する方法であって、前記メール端末装置のユーザ宛に送られたメールを受信し、受信したメールに含まれる少なくとも１つ以上の添付ファイルをメールサーバ装置に保持する添付ファイル保持ステップと、前記メールゲートウェイ装置において、添付ファイル保持ステップにより保持されている添付ファイルごとに識別子を生成する識別子生成ステップと、識別子生成ステップにより生成された識別子の一覧表を生成し、前記メールゲートウェイ装置から前記メール端末装置に送信する一覧表送信ステップと、前記メール端末装置において、前記識別子の一覧表を、メールゲートウェイ装置から受信する一覧表受信ステップと、前記メール端末装置において、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、メール端末装置からメールゲートウェイ装置に送信する送信ステップと、前記メール端末装置から送信されるメールに添付されることが所望される添付ファイルの代わりとして、前記識別子の一覧表からメール端末装置のユーザにより選択された識別子が含まれるメールを、メールゲートウェイ装置において受信する受信ステップと、メールゲートウェイ装置において、受信ステップにより受信されたメールに含まれる識別子に対応する添付ファイルを、メールサーバ装置から取得する添付ファイル取得ステップと、メールゲートウェイ装置において、添付ファイル取得ステップにより取得された添付ファイルを、受信ステップにより受信されたメールに添付することによりメールを構築する構築ステップと、構築ステップにより構築されたメールを、メールゲートウェイ装置からメールサーバ装置に送信するメール送信ステップと、前記メールゲートウェイ装置から送信されたメールをメールサーバ装置において受信し、メールサーバ装置から当該メールの送り先に配送するメール配送ステップとを含むとする。
【０１２７】
この構成によって本発明の電子メール送受信システムを制御する方法は、受信したメールに含まれる添付ファイルを利用する際に、受信したメールに含まれる個々の添付ファイルに添付ＩＤを対応付ける。これにより、転送する添付ファイルをメール端末装置に用意し、そしてメールに添付せずとも、添付することを希望する添付ファイルを、添付ＩＤにより一つずつ選択し、選択された添付ファイルを含むメールを、当該メールの送り先に送信することが可能となる。さらに、過去に受信し、蓄積したメールに含まれる添付ファイルを利用して、新規に添付ファイルを含むメールを作成することも可能となる。また、添付ファイルを含むメールと比較して、当該添付ファイルに対応付けられたＩＤを含むメールは、メールのサイズが小さく、メール端末装置とメールゲートウェイ装置間の回線にかかる負荷を小さくし、伝送速度が低速な携帯電話でも、実用的（短時間で低コスト）に、メールの送り先に添付ファイルを送信（添付ファイルを転送）することが可能という効果がある。
【０１２８】
さらに、メール端末装置により、受信したメールに含まれる個々の添付ファイルに対応付けられた添付ＩＤを含むメールを作成することが可能となり、作成されたメールを送り先に送信することが可能という効果がある。
本発明に係わる記録媒体は、コンピュータに読み取り可能な記録媒体であって、ネットワークを介して、メール端末装置と接続され、別のネットワークを介して、メール端末装置のユーザ宛に送られたメールを受信し、受信したメールに含まれる少なくとも１つ以上の添付ファイルとを保持するメールサーバ装置と接続されるコンピュータに、前記メールサーバ装置により保持されている添付ファイルごとに識別子を生成する識別子生成ステップと、識別子生成ステップにより対応付けられた識別子の一覧表を生成して、前記メール端末装置に送信する一覧表送信ステップと、前記メール端末装置から送信されるメールに添付されることが所望される添付ファイルの代わりとして、識別子の一覧表からメール端末装置のユーザにより選択された少なくとも１つ以上の識別子が含まれるメールを受信する受信ステップと、受信ステップにより受信されたメールに含まれる識別子に対応する添付ファイルを、前記メールサーバ装置から取得する添付ファイル取得ステップと、添付ファイル取得ステップにより取得された添付ファイルを、受信ステップにより受信されたメールに添付することによりメールを構築する構築ステップと、構築ステップにより構築されたメールを、前記メールサーバ装置に送信するメール送信ステップとを実行させるプログラムを記録するとする。
【０１２９】
この構成によって本発明のメール端末装置とメールサーバ装置とを仲介するプログラムを記録したコンピュータ読み取り可能な記録媒体は、コンピュータ等の一般のハードウェア上で、実行することにより、実行したハードウェアは、受信されたメールに含まれる個々の添付ファイルに添付ＩＤを対応付けることにより、受信されたメールに含まれる添付ファイルが利用される際に、メール端末装置から送信されたメールに転送される添付ファイルが添付されていなくても、添付することを希望する添付ファイルに対応付けられたＩＤにより  当該ＩＤに対応する添付ファイルを含むメールを構築し、当該メールの送り先に送信することが可能という効果がある。
【０１３０】
本発明に係わる記録媒体は、コンピュータ読み取り可能な記録媒体であって、ネットワークを介して、メール端末装置のユーザ宛に送られたメールに含まれる添付ファイルごとに識別子を生成し、生成した識別子を管理しているメールゲートウェイ装置と接続されるコンピュータに、前記メールゲートウェイ装置から、前記識別子の一覧表を受信する一覧表受信ステップと、メールに添付されることが所望される添付ファイルの代わりとして、一覧表受信ステップにより受信された識別子の一覧表からユーザにより選択された識別子を含むメールを作成する作成ステップと、作成ステップにより作成されたメールを、前記メールゲートウェイ装置に送信する送信ステップとを実行させるプログラムを記録するとする。
【０１３１】
この構成によって本発明のメールを読み書きするユーザーインタフェースを備えるプログラムを記録したコンピュータ読み取り可能な記録媒体は、コンピュータ等の一般のハードウェア上で、実行することにより、実行したハードウェアは、受信したメールに含まれる添付ファイルを利用する際に、添付ＩＤを含むメールを作成することにより、当該添付ＩＤに対応する添付ファイルが添付されたメールを、当該メールの送り先に送信することが可能という効果がある。
【０１３２】
本発明に係わるプログラムは、ネットワークを介して、メール端末装置と接続され、別のネットワークを介して、メール端末装置のユーザ宛に送られたメールを受信し、受信したメールに含まれる少なくとも１つ以上の添付ファイルとを保持するメールサーバ装置と接続されるコンピュータに実行されるプログラムであって、前記コンピュータに、前記メールサーバ装置により保持されている添付ファイルごとに識別子を生成する識別子生成ステップと、識別子生成ステップにより対応付けられた識別子の一覧表を生成し、前記メール端末装置に送信する一覧表送信ステップと、前記メール端末装置から送信されるメールに添付されることが所望される添付ファイルの代わりとして、識別子の一覧表からメール端末装置のユーザにより選択された少なくとも１つ以上の識別子が含まれるメールを受信する受信ステップと、受信ステップにより受信されたメールに含まれる識別子に対応する添付ファイルを、前記メールサーバ装置から取得する添付ファイル取得ステップと、添付ファイル取得ステップにより取得された添付ファイルを、受信ステップにより受信されたメールに添付することによりメールを構築する構築ステップと、構築ステップにより構築されたメールを、前記メールサーバ装置に送信するメール送信ステップとを実行させるとする。
【０１３３】
この構成によって本発明のメール端末装置とメールサーバ装置とを仲介するプログラムは、コンピュータ等の一般のハードウェア上で実行することにより、前記プログラムを実行した実行したハードウェアは、受信されたメールに含まれる個々の添付ファイルに添付ＩＤを対応付けることにより、受信されたメールに含まれる添付ファイルが利用される際に、メール端末装置から送信されたメールに転送される添付ファイルが添付されていなくても、添付することを希望する添付ファイルに対応付けられたＩＤにより  当該ＩＤに対応する添付ファイルを含むメールを構築し、当該メールの送り先に送信することが可能という効果がある。
【０１３４】
本発明に係わるプログラムは、ネットワークを介して、ユーザ宛に送られたメールに含まれる添付ファイルごとに識別子を生成し、生成した識別子を管理しているメールゲートウェイ装置と接続されるコンピュータに実行されるプログラムであって、前記コンピュータに、前記メールゲートウェイ装置から、前記識別子の一覧表を受信する一覧表受信ステップと、添付ファイルの代わりに、一覧表受信ステップにより受信された識別子の一覧表からユーザにより選択された識別子を含むメールを作成する作成ステップと、作成ステップにより作成されたメールを、前記メールゲートウェイ装置に送信する送信ステップとを実行させるとする。
【０１３５】
この構成によって本発明のメールを読み書きするユーザーインタフェースを備えるプログラムは、コンピュータ等の一般のハードウェア上で実行することにより、前記プログラムを実行したハードウェアは、受信したメールに含まれる添付ファイルを利用する際に、添付ＩＤを含むメールを作成することにより、当該添付ＩＤに対応する添付ファイルが添付されたメールを、当該メールの送り先に送信することが可能という効果がある。
【０１３６】
以上、本発明に係わる電子メール送受信システムは、携帯電話向けのメール配信サービスに適用することができる。これにより、携帯電話内に添付ファイルを取り込まなくとも、添付ファイルを個別に扱い、添付ファイルを含むメールを発信することができる。
さらに、過去に受信し、保持している添付ファイルを利用して、新規に添付ファイルを含むメールを作成することができる。
【図面の簡単な説明】
【図１】メール端末装置、メールゲートウェイ装置、メールサーバー装置から構成される電子メール送受信システムの機能ブロックを示す図である。
【図２】メールサーバー装置により受信された添付ファイルを含む受信メールのデータ構造を示す図である。
【図３】メール端末装置における、受信メールを転送する処理のフローチャートを示す図である。
【図４】受信メールに含まれる個々の添付ファイルに対応付けられた添付ＩＤを取得するシーケンスを示す図である。
【図５】（ａ）は、添付ファイルの一覧表のデータ構造を示す図であり、（ｂ）は、ＩＤの一覧表のデータ構造を示す図である。
【図６】受信メールのメッセージＩＤを「０１２３４５６７８９」とした場合における、添付ファイルと添付ＩＤの対応表を示す図である。
【図７】受信メールから作成される転送メールに、ＩＤ取得部により取得した添付ＩＤを記載する処理のフローチャートを示す図である。
【図８】受信メールから、メール作成部により作成される転送メールの作成状態を示す図である。
【図９】一例として、メール作成部により作成された転送メールのデータ構造を示す図である。
【図１０】受信メールから、メール作成部により作成された転送メールを転送先に送信するシーケンスを示す図である。
【図１１】メール端末装置から送信された転送メールを、メールゲートウェイ装置により構築する処理のフローチャートを示す図である。
【図１２】転送メールから、メールゲートウェイ装置により、構築されたメールのデータ構造を示す図である。
【図１３】メール端末装置、メールゲートウェイ装置、メールサーバー装置から構成される電子メール送受信システムの機能ブロックを示す図である。
【図１４】メールゲートウェイ装置により、メールの送り先毎に添付ファイルを変換する処理と変換された添付ファイルをメールの送り先毎に構築する処理のフローチャートを示す図である。
【図１５】メール端末装置から送信されたメールのデータ構造を示す図である。
【図１６】一例として、ファイル形式記憶部により記憶されるファイル形式変換情報の対応表を示す図である。
【図１７】（ａ）、（ｂ）、（ｃ）は、メールの送り先毎に、構築されたメールのデータ構造を示す図である。
【図１８】メール端末装置、メールゲートウェイ装置、メールサーバー装置から構成される電子メール送受信システムの機能ブロックを示す図である。
【図１９】一例として、メール作成部により作成されたメールのデータ構造を示す図である。
【図２０】（ａ）、（ｂ）は、メールの送り先毎に、構築されたメールのデータ構造を示す図である。
【図２１】メール端末装置、メールゲートウェイ装置、メールサーバー装置から構成される電子メール送受信システムの機能ブロックを示す図である。
【図２２】ＩＤ記憶部により記憶され、「添付ＩＤ」と「共有ＩＤ」と「共有者」からなる対応表を示す図である。
【図２３】メール端末装置のユーザーが所有する添付ファイルを、他のユーザーと共有する処理のフローチャートを示す図である。
【図２４】メールゲートウェイ装置により、メール端末装置から送信された共有ＩＤを含むメールを構築する処理のフローチャートを示す図である。
【符号の説明】
１００  メール端末装置
１０１  ＩＤ取得部
１０２  メール作成部
１０３  メール送信部
１１０  メールゲートウェイ装置
１１１  ＩＤ記憶部
１１２  メール取得部
１１３  メール構築部
１１４  メール受信部
１１５  メール送信部
１２０  メールサーバー装置
１２１  メール管理部
１２２  メールスプール
１２３  メール配送部
【図１】
0004576074.tif 000002
【図２】
0004576074.tif 000003
【図３】
0004576074.tif 000004
【図４】
0004576074.tif 000005
【図５】
0004576074.tif 000006
【図６】
0004576074.tif 000007
【図７】
0004576074.tif 000008
【図８】
0004576074.tif 000009
【図９】
0004576074.tif 000010
【図１０】
0004576074.tif 000011
【図１１】
0004576074.tif 000012
【図１２】
0004576074.tif 000013
【図１３】
0004576074.tif 000014
【図１４】
0004576074.tif 000015
【図１５】
0004576074.tif 000016
【図１６】
0004576074.tif 000017
【図１７】
0004576074.tif 000018
【図１８】
0004576074.tif 000019
【図１９】
0004576074.tif 000020
【図２０】
0004576074.tif 000021
【図２１】
0004576074.tif 000022
【図２２】
0004576074.tif 000023
【図２３】
0004576074.tif 000024
【図２４】
0004576074.tif 000025